(57)【特許請求の範囲】
【請求項１】
番組の属性情報である番組情報及び番組表を蓄積する蓄積手段を有し、端末装置からの送信要求に応じて上記番組情報及び番組表をネットワーク網を介して上記端末装置に送信する番組関連情報提供装置であって、
上記端末装置から送信される上記番組表中の番組に対する番組記録予約設定要求に応じて上記蓄積手段に蓄積された番組情報を検索する検索手段と、
上記検索手段によって検索された番組情報に基づいて上記番組表中の番組を記録媒体に記録させる制御命令である第１の番組記録予約設定スクリプトを生成する第１の番組記録予約設定スクリプト生成手段と、
上記検索手段によって検索された番組情報のうち、当該番組と関連した番組関連情報のネットワーク網上の所在地を示すと同時に当該番組関連情報にアクセス可能なアドレス情報と、上記アドレス情報の表示時間を規定する表示時間情報とを備える上記端末装置に上記アドレス情報を表示させる制御命令である番組関連情報アドレス表示スクリプトを生成する番組関連情報アドレス表示スクリプト生成手段と、
上記番組関連情報アドレス表示スクリプトを上記第１の番組記録予約設定スクリプトに添附して第２の番組記録予約設定スクリプトを生成する第２の番組記録予約設定スクリプト生成手段と、
上記第２の番組記録予約設定スクリプト生成手段によって番組関連情報アドレス表示スクリプトを添附された第２の番組記録予約設定スクリプトを上記端末装置に送信する送信手段と
を備え、
上記番組関連情報アドレス表示スクリプト生成手段は、生成する上記番組関連情報アドレス表示スクリプトの表示時間情報として、上記アドレス情報の表示タイミングを規定する番組の放送開始時間を基準とした相対時間である表示開始時間情報と、表示されたアドレス情報の表示継続時間を規定する表示継続時間情報とを用い、
上記送信手段は、上記番組関連情報をユーザにリアルタイムで提供する際には、上記アドレス情報のそれぞれに、ユーザ毎に異なるアクセス時間を指定したコメントを添附すること
を特徴とする番組関連情報提供装置。
【請求項２】
番組の属性情報である番組情報及び番組表を蓄積する蓄積手段を有し、端末装置からの送信要求に応じて上記番組情報及び番組表をネットワーク網を介して上記端末装置に送信する番組関連情報提供装置の番組関連情報提供方法であって、
上記端末装置から送信される上記番組表中の番組に対する番組記録予約設定要求に応じて上記蓄積手段に蓄積された番組情報を検索し、
検索された上記番組情報に基づいて上記番組表中の番組を記録媒体に記録させる制御命令である第１の番組記録予約設定スクリプトを生成し、
検索された上記番組情報のうち、当該番組と関連した番組関連情報のネットワーク網上の所在地を示すと同時に当該番組関連情報にアクセス可能なアドレス情報と、上記アドレス情報の表示時間を規定する表示時間情報とを備える上記端末装置に上記アドレス情報を表示させる制御命令である番組関連情報アドレス表示スクリプトを生成し、
上記番組関連情報アドレス表示スクリプトを上記第１の番組記録予約設定スクリプトに添附して第２の番組記録予約設定スクリプトを生成し、
上記番組関連情報アドレス表示スクリプトを添附された第２の番組記録予約設定スクリプトを上記端末装置に送信し、
上記番組関連情報アドレス表示スクリプトの表示時間情報として、上記アドレス情報の表示タイミングを規定する番組の放送開始時間を基準とした相対時間である表示開始時間情報と、表示されたアドレス情報の表示継続時間を規定する表示継続時間情報とを用い、
上記番組関連情報をユーザにリアルタイムで提供する際には、上記アドレス情報のそれぞれに、ユーザ毎に異なるアクセス時間を指定したコメントを添附すること
を特徴とする番組関連情報提供方法。
【請求項３】
番組の属性情報である番組情報及び番組表を蓄積する蓄積手段を有し、第１の端末装置からの送信要求に応じて上記番組情報及び番組表をネットワーク網を介して上記第１の端末装置に送信する番組関連情報提供装置であって、
上記第１の端末装置から送信される上記番組表中の番組に対する番組記録予約設定要求に応じて上記蓄積手段に蓄積された番組情報を検索する検索手段と、
上記検索手段によって検索された番組情報に基づいて上記番組表中の番組を記録媒体に記録させる制御命令である第１の番組記録予約設定スクリプトを生成する第１の番組記録予約設定スクリプト生成手段と、
上記検索手段によって検索された番組情報のうち、当該番組と関連した番組関連情報のネットワーク網上の所在地を示すと同時に当該番組関連情報にアクセス可能なアドレス情報と、上記アドレス情報の表示時間を規定する表示時間情報とを備えた第２端末装置に上記アドレス情報を表示させる制御命令である番組関連情報アドレス表示スクリプトを生成する番組関連情報アドレス表示スクリプト生成手段と、
上記番組関連情報アドレス表示スクリプトを上記第１の番組記録予約設定スクリプトに添附して第２の番組記録予約設定スクリプトを生成する第２の番組記録予約設定スクリプト生成手段と、
上記第２の番組記録予約設定スクリプト生成手段によって番組関連情報アドレス表示スクリプトを添附された第２の番組記録予約設定スクリプトを上記第２の端末装置に送信する送信手段と
を備え、
上記番組関連情報アドレス表示スクリプト生成手段は、生成する上記番組関連情報アドレス表示スクリプトの表示時間情報として、上記アドレス情報の表示タイミングを規定する番組の放送開始時間を基準とした相対時間である表示開始時間情報と、表示されたアドレス情報の表示継続時間を規定する表示継続時間情報とを用い、
上記送信手段は、上記番組関連情報をユーザにリアルタイムで提供する際には、上記アドレス情報のそれぞれに、ユーザ毎に異なるアクセス時間を指定したコメントを添附すること
を特徴とする番組関連情報提供装置。
【請求項４】
番組の属性情報である番組情報及び番組表を蓄積する蓄積手段を有し、第１の端末装置からの送信要求に応じて上記番組情報及び番組表をネットワーク網を介して上記第１の端末装置に送信する番組関連情報提供装置の番組関連情報提供方法であって、
上記第１の端末装置から送信される上記番組表中の番組に対する番組記録予約設定要求に応じて上記蓄積手段に蓄積された番組情報を検索し、
検索された上記番組情報に基づいて上記番組表中の番組を記録媒体に記録させる制御命令である第１の番組記録予約設定スクリプトを生成し、
検索された上記番組情報のうち、当該番組と関連した番組関連情報のネットワーク網上の所在地を示すと同時に当該番組関連情報にアクセス可能なアドレス情報と、上記アドレス情報の表示時間を規定する表示時間情報とを備えた第２端末装置に上記アドレス情報を表示させる制御命令である番組関連情報アドレス表示スクリプトを生成し、
上記番組関連情報アドレス表示スクリプトを上記第１の番組記録予約設定スクリプトに添附して第２の番組記録予約設定スクリプトを生成し、
上記番組関連情報アドレス表示スクリプトを添附された第２の番組記録予約設定スクリプトを上記第２の端末装置に送信し、
上記番組関連情報アドレス表示スクリプトの表示時間情報として、上記アドレス情報の表示タイミングを規定する番組の放送開始時間を基準とした相対時間である表示開始時間情報と、表示されたアドレス情報の表示継続時間を規定する表示継続時間情報とを用い、
上記番組関連情報をユーザにリアルタイムで提供する際には、上記アドレス情報のそれぞれに、ユーザ毎に異なるアクセス時間を指定したコメントを添附すること
を特徴とする番組関連情報提供方法。
【請求項５】
番組の属性情報である番組情報及び番組表を蓄積する蓄積手段を有し、端末装置からの送信要求に応じて上記番組情報及び番組表を上記端末装置に送信する番組関連情報提供装置と、上記番組関連情報提供装置から送信される番組表中の番組の番組記録予約設定要求をし、上記番組記録予約設定要求をした番組を記録媒体に記録する記録手段と、上記記録媒体に記録した番組を再生する再生手段とを有する上記端末装置とがネットワーク網を介し接続された番組関連情報提供システムであって、
上記番組関連情報提供装置は、上記端末装置からの番組記録予約設定要求に応じて上記蓄積手段に蓄積された番組情報を検索する検索手段と、上記検索手段によって検索された番組情報に基づいて上記番組表中の番組を記録媒体に記録させる制御命令である第１の番組記録予約設定スクリプトを生成する第１の番組記録予約設定スクリプト生成手段と、上記検索手段によって検索された番組情報のうち、上記番組と関連した番組関連情報の上記ネットワーク網上の所在地を示すアドレス情報と、上記アドレス情報の表示時間を規定する表示時間情報とを備える上記端末装置に対する制御命令である番組関連情報アドレス表示スクリプトを生成する番組関連情報アドレス表示スクリプト生成手段と、上記番組関連情報アドレス表示スクリプトを上記第１の番組記録予約設定スクリプトに添附して第２の番組記録予約設定スクリプトを生成する第２の番組記録予約設定スクリプト生成手段と、上記第２の番組記録予約設定スクリプト生成手段によって番組関連情報アドレス表示スクリプトを添附された上記第２の番組記録予約設定スクリプトを上記端末装置に送信する送信手段とを有し、上記番組関連情報アドレス表示スクリプト生成手段は、生成する上記番組関連情報アドレス表示スクリプトの表示時間情報として、上記アドレス情報の表示タイミングを規定する番組の放送開始時間を基準とした相対時間である表示開始時間情報と、表示されたアドレス情報の表示継続時間を規定する表示継続時間情報とを用い、上記送信手段は、上記番組関連情報をユーザにリアルタイムで提供する際には、上記アドレス情報のそれぞれに、ユーザ毎に異なるアクセス時間を指定したコメントを添附し、
上記端末装置は、上記番組関連情報提供装置の送信手段から送信された第２の番組記録予約設定スクリプトを受信する第１の受信手段と、上記第１の受信手段で受信した第２の番組記録予約設定スクリプトから第１の番組記録予約設定スクリプトを検出する検出手段と、上記検出手段によって検出された第１の番組記録予約設定スクリプトの指定する番組を所定の時間に受信する第２の受信手段と、上記検出手段によって検出された第１の番組記録予約設定スクリプトを番組記録予約設定制御信号に変換する信号変換手段と、上記信号変換手段によって変換された番組記録予約設定制御信号に応じて上記記録手段を駆動制御して上記第２の受信手段で受信した番組と上記第１の受信手段で受信した第２の番組記録予約設定スクリプトに添附された当該番組の上記番組関連情報アドレス表示スクリプトとを上記記録媒体に記録させるよう制御する制御手段と、上記再生手段によって再生された番組を表示する表示手段とを有し、
上記制御手段は、再生要求に応じて、上記再生手段を制御して上記記録媒体に記録した番組を再生すると同時に、上記記録媒体に記録した番組関連情報アドレス表示スクリプトが備える上記アドレス情報と、上記表示時間情報とを読み出し、読み出した上記アドレス情報を上記表示時間情報に基づいて上記表示手段に表示又は非表示させるよう制御し、上記表示時間情報として、上記表示開始時間情報と、上記表示継続時間情報とを読み出し、読み出したアドレス情報を上記表示開始時間情報に基づいて当該端末装置の表示手段に表示させ、上記表示手段に表示させた上記アドレス情報を上記表示継続時間情報に基づいて非表示にするよう制御すること
を特徴とする番組関連情報提供システム。
【請求項６】
上記番組関連情報提供装置は、上記端末装置に送信するアドレス情報の提供者であるアドレス情報提供者から料金を徴収する料金徴収手段を有すること
を特徴とする請求項５記載の番組関連情報提供システム。
【請求項７】
番組の属性情報である番組情報及び番組表を蓄積する蓄積手段を有し、端末装置からの送信要求に応じて上記番組情報及び番組表を上記端末装置に送信する番組関連情報提供装置と、上記番組関連情報提供装置から送信される番組表中の番組の番組記録予約設定要求をし、上記番組記録予約設定要求をした番組を記録媒体に記録する記録手段と、上記記録媒体に記録した番組を再生する再生手段とを有する上記端末装置とがネットワーク網を介し接続された番組関連情報提供システムの番組関連情報提供方法であって、
上記番組関連情報提供装置は、上記端末装置からの番組記録予約設定要求に応じて上記蓄積手段に蓄積された番組情報を検索し、検索された上記番組情報に基づいて上記番組表中の番組を記録媒体に記録させる記録装置に対する制御命令である第１の番組記録予約設定スクリプトを生成し、検索された上記番組情報のうち、上記番組と関連した番組関連情報の上記ネットワーク網上の所在地を示すアドレス情報と、上記アドレス情報の表示時間を規定する表示時間情報とを備える上記端末装置に対する制御命令である番組関連情報アドレス表示スクリプトを生成し、上記番組関連情報アドレス表示スクリプトを上記第１の番組記録予約設定スクリプトに添附して第２の番組記録予約設定スクリプトを生成し、上記番組関連情報アドレス表示スクリプトを添附された上記第２の番組記録予約設定スクリプトを上記端末装置に送信し、上記番組関連情報アドレス表示スクリプトの表示時間情報として、上記アドレス情報の表示タイミングを規定する番組の放送開始時間を基準とした相対時間である表示開始時間情報と、表示されたアドレス情報の表示継続時間を規定する表示継続時間情報とを用い、上記番組関連情報をユーザにリアルタイムで提供する際には、上記アドレス情報のそれぞれに、ユーザ毎に異なるアクセス時間を指定したコメントを添附し、
上記端末装置は、上記端末装置から送信された上記第２の番組記録予約設定スクリプトを受信し、受信した上記第２の番組記録予約設定スクリプトから第１の番組記録予約設定スクリプトを検出し、検出された上記第１の番組記録予約設定スクリプトの指定する番組を所定の時間に受信し、検出された上記第１の番組記録予約設定スクリプトを番組記録予約設定制御信号に変換し、変換された上記番組記録予約設定制御信号に応じて上記記録手段を駆動制御して受信した上記番組と、受信した上記第２の番組記録予約設定スクリプトに添附された当該番組の上記番組関連情報アドレス表示スクリプトとを上記記録媒体に記録させるよう制御し、再生要求に応じて、上記再生手段を制御して上記記録媒体に記録した番組を再生すると同時に、上記記録媒体に記録した番組関連情報アドレス表示スクリプトが備える上記アドレス情報と、上記表示時間情報とを読み出し、読み出した上記アドレス情報を上記表示時間情報に基づいて当該端末装置の表示手段に表示又は非表示させるよう制御し、上記表示時間情報として、上記表示開始時間情報と、上記表示継続時間情報とを読み出し、読み出したアドレス情報を上記表示開始時間情報に基づいて当該端末装置の表示手段に表示させ、上記表示手段に表示させた上記アドレス情報を上記表示継続時間情報に基づいて非表示にするよう制御すること
を特徴とする番組関連情報提供方法。
【請求項８】
番組の属性情報である番組情報及び番組表を蓄積する蓄積手段を有し、第１の端末装置からの送信要求に応じて上記番組情報及び番組表を上記第１の端末装置に送信する番組関連情報提供装置と、上記番組関連情報提供装置から送信される番組表中の番組の番組記録予約設定要求をする上記第１の端末装置と、上記第１の端末装置によって上記番組記録予約要求をした番組を記録媒体に記録する記録手段と、上記記録媒体に記録した番組を再生する再生手段とを有する第２の端末装置とがネットワーク網を介し接続された番組関連情報提供システムであって、
上記番組関連情報提供装置は、上記第１の端末装置からの番組記録予約設定要求に応じて上記蓄積手段に蓄積された番組情報を検索する検索手段と、上記検索手段によって検索された番組情報に基づいて上記番組表中の番組を記録媒体に記録させる制御命令である第１の番組記録予約設定スクリプトを生成する第１の番組記録予約設定スクリプト生成手段と、上記検索手段によって検索された番組情報のうち、上記番組と関連した番組関連情報の上記ネットワーク網上の所在地を示すアドレス情報と、上記アドレス情報の表示時間を規定する表示時間情報とを備える上記第２の端末装置に対する制御命令である番組関連情報アドレス表示スクリプトを生成する番組関連情報アドレス表示スクリプト生成手段と、上記番組関連情報アドレス表示スクリプトを上記第１の番組記録予約設定スクリプトに添附して第２の番組記録予約設定スクリプトを生成する第２の番組記録予約設定スクリプト生成手段と、上記第２の番組記録予約設定スクリプト生成手段によって番組関連情報アドレス表示スクリプトを添附された上記第２の番組記録予約設定スクリプトを上記第２の端末装置に送信する送信手段とを有し、上記番組関連情報アドレス表示スクリプト生成手段は、生成する上記番組関連情報アドレス表示スクリプトの表示時間情報として、上記アドレス情報の表示タイミングを規定する番組の放送開始時間を基準とした相対時間である表示開始時間情報と、表示されたアドレス情報の表示継続時間を規定する表示継続時間情報とを用い、上記送信手段は、番組関連情報をユーザにリアルタイムで提供する際には、上記アドレス情報のそれぞれに、ユーザ毎に異なるアクセス時間を指定したコメントを添附し、
上記第２端末装置は、上記番組関連情報提供装置の送信手段から送信された第２の番組記録予約設定スクリプトを受信する第１の受信手段と、上記第１の受信手段で受信した第２の番組記録予約設定スクリプトから第１の番組記録予約設定スクリプトを検出する検出手段と、上記検出手段によって検出された第１の番組記録予約設定スクリプトの指定する番組を所定の時間に受信する第２の受信手段と、上記検出手段によって検出された第１の番組記録予約設定スクリプトを番組記録予約設定制御信号に変換する信号変換手段と、上記信号変換手段によって変換された番組記録予約設定制御信号に応じて上記記録手段を駆動制御して上記第２の受信手段で受信した番組と上記第１の受信手段で受信した第２の番組記録予約設定スクリプトに添附された当該番組の上記番組関連情報アドレス表示スクリプトとを上記記録媒体に記録させるよう制御する制御手段と、上記再生手段によって再生された番組を表示する表示手段とを有し、上記制御手段は、再生要求に応じて、上記再生手段を制御して上記記録媒体に記録した番組を再生すると同時に、上記記録媒体に記録した番組関連情報アドレス表示スクリプトが備える上記アドレス情報を上記表示時間情報に基づいて上記表示手段に表示又は非表示させるよう制御し、上記表示時間情報として、上記表示開始時間情報と、上記表示継続時間情報とを読み出し、読み出したアドレス情報を上記表示開始時間情報に基づいて当該端末装置の表示手段に表示させ、上記表示手段に表示させた上記アドレス情報を上記表示継続時間情報に基づいて非表示にするよう制御すること
を特徴とする番組関連情報提供システム。
【請求項９】
上記番組関連情報提供装置は、上記第２の端末装置に送信するアドレス情報の提供者であるアドレス情報提供者から料金を徴収する料金徴収手段を有すること
を特徴とする請求項８記載の番組関連情報提供システム。
【請求項１０】
番組の属性情報である番組情報及び番組表を蓄積する蓄積手段を有し、第１の端末装置からの送信要求に応じて上記番組情報及び番組表を上記第１の端末装置に送信する番組関連情報提供装置と、上記番組関連情報提供装置から送信される番組表中の番組の番組記録予約設定要求をする上記第１の端末装置と、上記第１の端末装置によって上記番組記録予約要求をした番組を記録媒体に記録する記録手段と、上記記録媒体に記録した番組を再生する再生手段とを有する第２の端末装置とがネットワーク網を介し接続された番組関連情報提供システムの番組関連情報提供方法であって、
上記番組関連情報提供装置は、上記第１の端末装置からの番組記録予約設定要求に応じて上記蓄積手段に蓄積された番組情報を検索し、検索された上記番組情報に基づいて上記番組表中の番組を記録媒体に記録させる制御命令である第１の番組記録予約設定スクリプトを生成し、検索された上記番組情報のうち、上記番組と関連した番組関連情報の上記ネットワーク網上の所在地を示すアドレス情報と、上記アドレス情報の表示時間を規定する表示時間情報とを備える上記第２の端末装置に対する制御命令である番組関連情報アドレス表示スクリプトを生成し、上記番組関連情報アドレス表示スクリプトを上記第１の番組記録予約設定スクリプトに添附して第２の番組記録予約設定スクリプトを生成し、上記第２の番組記録予約設定スクリプト生成手段によって番組関連情報アドレス表示スクリプトを添附された上記第２の番組記録予約設定スクリプトを上記第２の端末装置に送信し、上記番組関連情報アドレス表示スクリプトの表示時間情報として、上記アドレス情報の表示タイミングを規定する番組の放送開始時間を基準とした相対時間である表示開始時間情報と、表示されたアドレス情報の表示継続時間を規定する表示継続時間情報とを用い、番組関連情報をユーザにリアルタイムで提供する際には、上記アドレス情報のそれぞれに、ユーザ毎に異なるアクセス時間を指定したコメントを添附し、
上記第２端末装置は、上記番組関連情報提供装置から送信された第２の番組記録予約設定スクリプトを受信し、受信した上記第２の番組記録予約設定スクリプトから第１の番組記録予約設定スクリプトを検出し、検出された上記第１の番組記録予約設定スクリプトの指定する番組を所定の時間に受信し、検出された上記第１の番組記録予約設定スクリプトを番組記録予約設定制御信号に変換し、変換された上記番組記録予約設定制御信号に応じて上記記録手段を駆動制御して受信した番組と、受信した第２の番組記録予約設定スクリプトに添附された当該番組の上記番組関連情報アドレス表示スクリプトとを上記記録媒体に記録させるよう制御し、再生要求に応じて、上記再生手段を制御して上記記録媒体に記録した番組を再生すると同時に、上記記録媒体に記録した番組関連情報アドレス表示スクリプトが備える上記アドレス情報を上記表示時間情報に基づいて当該第２の端末装置の表示手段に表示又は非表示させるよう制御し、上記表示時間情報として、上記表示開始時間情報と、上記表示継続時間情報とを読み出し、読み出したアドレス情報を上記表示開始時間情報に基づいて当該端末装置の表示手段に表示させ、上記表示手段に表示させた上記アドレス情報を上記表示継続時間情報に基づいて非表示にするよう制御すること
を特徴とする番組関連情報提供方法。
【請求項１１】
番組の属性情報である番組情報及び番組表を蓄積する蓄積手段を有し、端末装置からの送信要求に応じて上記番組情報及び番組表を上記端末装置に送信する番組関連情報提供装置と、上記番組関連情報提供装置から送信される番組表中の番組の番組記録予約設定要求をする上記端末装置と、上記番組を記録媒体に記録する記録手段と、上記記録媒体に記録された番組を再生する再生手段とを有する記録再生装置とがネットワーク網を介し接続されている番組関連情報提供システムであって、
上記番組関連情報提供装置は、上記端末装置からの番組記録予約設定要求に応じて上記蓄積手段に蓄積された番組情報を検索する検索手段と、上記検索手段によって検索された番組情報に基づいて上記番組表中の番組を記録媒体に記録させる記録再生装置に対する制御命令である第１の番組記録予約設定スクリプトを生成する第１の番組記録予約設定スクリプト生成手段と、上記検索手段によって検索された番組情報のうち、上記番組と関連した番組関連情報の上記ネットワーク網上の所在地を示すアドレス情報と、上記アドレス情報の表示時間を規定する表示時間情報とを備える上記端末装置に対する制御命令である番組関連情報アドレス表示スクリプトを生成する番組関連情報アドレス表示スクリプト生成手段と、上記番組関連情報アドレス表示スクリプトを上記第１の番組記録予約設定スクリプトに添附して第２の番組記録予約設定スクリプトを生成する第２の番組記録予約設定スクリプト生成手段と、上記第２の番組記録予約設定スクリプト生成手段によって番組関連情報アドレス表示スクリプトを添附された上記第２の番組記録予約スクリプトを上記端末装置に送信する送信手段とを有し、上記番組関連情報アドレス表示スクリプト生成手段は、生成する上記番組関連情報アドレス表示スクリプトの表示時間情報として、上記アドレス情報の表示タイミングを規定する番組の放送開始時間を基準とした相対時間である表示開始時間情報と、表示されたアドレス情報の表示継続時間を規定する表示継続時間情報とを用い、上記送信手段は、番組関連情報をユーザにリアルタイムで提供する際には、上記アドレス情報のそれぞれに、ユーザ毎に異なるアクセス時間を指定したコメントを添附し、
上記端末装置は、送信手段から送信された第２の番組記録予約設定スクリプトを受信する第１の受信手段と、上記第１の受信手段で受信した番組記録予約設定スクリプトから第１の番組記録予約設定スクリプトを検出する検出手段と、上記検出手段によって検出された第１の番組記録予約設定スクリプトの指定する番組を所定の時間に受信する第２の受信手段と、上記検出手段によって検出された第１の番組記録予約設定スクリプトを番組記録予約設定制御信号に変換する信号変換手段と、上記信号変換手段によって変換された番組記録予約設定制御信号に応じて上記記録再生装置の記録手段を駆動制御して上記第２の受信手段で受信した番組と上記第１の受信手段で受信した第２の番組記録予約設定スクリプトに添附された当該番組の上記番組関連情報アドレス表示スクリプトとを上記記録媒体に記録させるよう制御する制御手段と、上記再生手段によって再生された番組を表示する表示手段とを有し、
上記端末装置の制御手段は、再生要求に応じて、上記記録再生装置の再生手段を制御して上記記録媒体に記録した番組を再生すると同時に、上記記録媒体に記録した番組関連情報アドレス表示スクリプトが備える上記アドレス情報と、上記表示時間情報とを読み出し、読み出した上記アドレス情報を上記表示時間情報に基づいて上記表示手段に表示又は非表示させるよう制御し、上記表示時間情報として、上記表示開始時間情報と、上記表示継続時間情報とを読み出し、読み出したアドレス情報を上記表示開始時間情報に基づいて当該端末装置の表示手段に表示させ、上記表示手段に表示させた上記アドレス情報を上記表示継続時間情報に基づいて非表示にするよう制御すること
を特徴とする番組関連情報提供システム。
【請求項１２】
上記番組関連情報提供装置は、上記端末装置に送信するアドレス情報の提供者であるアドレス情報提供者から料金を徴収する料金徴収手段を有すること
を特徴とする請求項１１記載の番組関連情報提供システム。
【請求項１３】
番組の属性情報である番組情報及び番組表を蓄積する蓄積手段を有し、端末装置からの送信要求に応じて上記番組情報及び番組表を上記端末装置に送信する番組関連情報提供装置と、上記番組関連情報提供装置から送信される番組表中の番組の番組記録予約設定要求をする上記端末装置と、上記番組を記録媒体に記録する記録手段と、上記記録媒体に記録された番組を再生する再生手段とを有する記録再生装置とがネットワーク網を介し接続されている番組関連情報提供システムの番組関連情報提供方法であって、
上記番組関連情報提供装置は、上記端末装置からの番組記録予約設定要求に応じて上記蓄積手段に蓄積された番組情報を検索し、検索された上記番組情報に基づいて上記番組表中の番組を記録媒体に記録させる制御命令である第１の番組記録予約設定スクリプトを生成し、検索された上記番組情報のうち、上記番組と関連した番組関連情報の上記ネットワーク網上の所在地を示すアドレス情報と、上記アドレス情報の表示時間を規定する表示時間情報とを備える上記端末装置に対する制御命令である番組関連情報アドレス表示スクリプトを生成し、上記番組関連情報アドレス表示スクリプトを上記第１の番組記録予約設定スクリプトに添附して第２の番組記録予約設定スクリプトを生成し、上記番組関連情報アドレス表示スクリプトを添附された上記第２の番組記録予約スクリプトを上記端末装置に送信し、上記番組関連情報アドレス表示スクリプトの表示時間情報として、上記アドレス情報の表示タイミングを規定する番組の放送開始時間を基準とした相対時間である表示開始時間情報と、表示されたアドレス情報の表示継続時間を規定する表示継続時間情報とを用い、番組関連情報をユーザにリアルタイムで提供する際には、上記アドレス情報のそれぞれに、ユーザ毎に異なるアクセス時間を指定したコメントを添附し、
上記端末装置は、上記番組関連情報提供装置から送信された第２の番組記録予約設定スクリプトを受信し、受信した上記番組記録予約設定スクリプトから第１の番組記録予約設定スクリプトを検出し、検出された上記第１の番組記録予約設定スクリプトの指定する番組を所定の時間に受信し、検出された上記第１の番組記録予約設定スクリプトを番組記録予約設定制御信号に変換し、変換された上記番組記録予約設定制御信号に応じて上記記録再生装置の記録手段を駆動制御して受信した上記番組と受信した上記第２の番組記録予約設定スクリプトに添附された当該番組の上記番組関連情報アドレス表示スクリプトとを上記記録媒体に記録させるよう制御し、再生要求に応じて、上記記録再生装置の再生手段を制御して上記記録媒体に記録した番組を再生すると同時に、上記記録媒体に記録した番組関連情報アドレス表示スクリプトが備える上記アドレス情報と、上記表示時間情報とを読み出し、読み出した上記アドレス情報を上記表示時間情報に基づいて当該端末装置の表示手段に表示又は非表示させるよう制御し、上記表示時間情報として、上記表示開始時間情報と、上記表示継続時間情報とを読み出し、読み出したアドレス情報を上記表示開始時間情報に基づいて当該端末装置の表示手段に表示させ、上記表示手段に表示させた上記アドレス情報を上記表示継続時間情報に基づいて非表示にするよう制御する
ことを特徴とする番組関連情報提供方法。
【請求項１４】
番組の属性情報である番組情報及び番組表を蓄積する蓄積手段を有し、第１の端末装置からの送信要求に応じて上記番組情報及び番組表を上記第１の端末装置に送信する番組関連情報提供装置と、上記番組関連情報提供装置から送信される番組表中の番組の番組記録予約設定要求をする第２の端末装置と、上記番組を記録媒体に記録する記録手段と、上記記録媒体に記録された番組を再生する再生手段とを有する記録再生装置とがネットワーク網を介し接続されている番組関連情報提供システムであって、
上記番組関連情報提供装置は、上記第１の端末装置からの番組記録予約設定要求に応じて上記蓄積手段に蓄積された番組情報を検索する検索手段と、上記検索手段によって検索された番組情報に基づいて上記番組表中の番組を記録媒体に記録させる上記記録再生装置に対する制御命令である第１の番組記録予約設定スクリプトを生成する第１の番組記録予約設定スクリプト生成手段と、上記検索手段によって検索された番組情報のうち、上記番組と関連した番組関連情報の上記ネットワーク網上の所在地を示すアドレス情報と、上記アドレス情報の表示時間を規定する表示時間情報とを備える上記端末装置に対する制御命令である番組関連情報アドレス表示スクリプトを生成する番組関連情報アドレス表示スクリプト生成手段と、上記番組関連情報アドレス表示スクリプトを上記第１の番組記録予約設定スクリプトに添附して第２の番組記録予約設定スクリプトを生成する第２の番組記録予約設定スクリプト生成手段と、上記第２の番組記録予約設定スクリプト生成手段によって番組関連情報アドレス表示スクリプトを添附された上記第２の番組記録予約スクリプトを上記第２の端末装置に送信する送信手段とを有し、  上記番組関連情報アドレス表示スクリプト生成手段は、生成する上記番組関連情報アドレス表示スクリプトの表示時間情報として、上記アドレス情報の表示タイミングを規定する番組の放送開始時間を基準とした相対時間である表示開始時間情報と、表示されたアドレス情報の表示継続時間を規定する表示継続時間情報とを用い、上記送信手段は、番組関連情報をユーザにリアルタイムで提供する際には、上記アドレス情報のそれぞれに、ユーザ毎に異なるアクセス時間を指定したコメントを添附し、
上記第２の端末装置は、上記番組関連情報提供装置の送信手段から送信された第２の番組記録予約設定スクリプトを受信する第１の受信手段と、上記第１の受信手段で受信した番組記録予約設定スクリプトから第１の番組記録予約設定スクリプトを検出する検出手段と、上記検出手段によって検出された第１の番組記録予約設定スクリプトの指定する番組を所定の時間に受信する第２の受信手段と、上記検出手段によって検出された第１の番組記録予約設定スクリプトを番組記録予約設定制御信号に変換する信号変換手段と、上記信号変換手段によって変換された番組記録予約設定制御信号に応じて上記記録再生装置の記録手段を駆動制御して上記第２の受信手段で受信した番組と上記第１の受信手段で受信した第２の番組記録予約設定スクリプトに添附された当該番組の上記番組関連情報アドレス表示スクリプトとを上記記録媒体に記録させるよう制御する制御手段と、上記再生手段によって再生された番組を表示する表示手段とを有し、上記制御手段は、再生要求に応じて、上記記録再生装置の再生手段を制御して上記記録媒体に記録した番組を再生すると同時に、上記記録媒体に記録した番組関連情報アドレス表示スクリプトが備える上記アドレス情報と、上記表示時間情報とを読み出し、読み出した上記アドレス情報を上記表示時間情報に基づいて当該第２の端末装置の表示手段に表示又は非表示させるよう制御し、上記表示時間情報として、上記表示開始時間情報と、上記表示継続時間情報とを読み出し、読み出した上記アドレス情報を上記表示開始時間情報に基づいて上記第２の端末装置の表示手段に表示させ、上記表示手段に表示させた上記アドレス情報を上記表示継続時間情報に基づいて非表示にするよう制御すること
を特徴とする番組関連情報提供システム。
【請求項１５】
上記番組関連情報提供装置は、上記第２の端末装置に送信するアドレス情報の提供者であるアドレス情報提供者から料金を徴収する料金徴収手段を有すること
を特徴とする請求項１４記載の番組関連情報提供システム。
【請求項１６】
番組の属性情報である番組情報及び番組表を蓄積する蓄積手段を有し、第１の端末装置からの送信要求に応じて上記番組情報及び番組表を上記第１の端末装置に送信する番組関連情報提供装置と、上記番組関連情報提供装置から送信される番組表中の番組の番組記録予約設定要求をする第２の端末装置と、上記番組を記録媒体に記録する記録手段と、上記記録媒体に記録された番組を再生する再生手段とを有する記録再生装置とがネットワーク網を介し接続されている番組関連情報提供システムの番組関連情報提供方法であって、
上記番組関連情報提供装置は、上記第１の端末装置からの番組記録予約設定要求に応じて上記蓄積手段に蓄積された番組情報を検索し、検索された上記番組情報に基づいて上記番組表中の番組を記録媒体に記録させる制御命令である第１の番組記録予約設定スクリプトを生成し、検索された上記番組情報のうち、上記番組と関連した番組関連情報の上記ネットワーク網上の所在地を示すアドレス情報と、上記アドレス情報の表示時間を規定する表示時間情報とを備える上記端末装置に対する制御命令である番組関連情報アドレス表示スクリプトを生成し、上記番組関連情報アドレス表示スクリプトを上記第１の番組記録予約設定スクリプトに添附して第２の番組記録予約設定スクリプトを生成し、上記第２の番組記録予約設定スクリプト生成手段によって番組関連情報アドレス表示スクリプトを添附された上記第２の番組記録予約スクリプトを上記第２の端末装置に送信し、上記番組関連情報アドレス表示スクリプトの表示時間情報として、上記アドレス情報の表示タイミングを規定する番組の放送開始時間を基準とした相対時間である表示開始時間情報と、表示されたアドレス情報の表示継続時間を規定する表示継続時間情報とを用い、番組関連情報をユーザにリアルタイムで提供する際には、上記アドレス情報のそれぞれに、ユーザ毎に異なるアクセス時間を指定したコメントを添附し、
上記第２の端末装置は、上記番組関連情報提供装置から送信された第２の番組記録予約設定スクリプトを受信し、受信した上記番組記録予約設定スクリプトから第１の番組記録予約設定スクリプトを検出し、検出された上記第１の番組記録予約設定スクリプトの指定する番組を所定の時間に受信し、検出された上記第１の番組記録予約設定スクリプトを番組記録予約設定制御信号に変換し、変換された上記番組記録予約設定制御信号に応じて上記記録再生装置の記録手段を駆動制御して受信した上記番組と、受信した上記第２の番組記録予約設定スクリプトに添附された当該番組の上記番組関連情報アドレス表示スクリプトとを上記記録媒体に記録させるよう制御し、再生要求に応じて上記記録再生装置の再生手段を制御して上記記録媒体に記録した番組を再生すると同時に、上記記録媒体に記録した番組関連情報アドレス表示スクリプトが備える上記アドレス情報と、上記表示時間情報とを読み出し、読み出した上記アドレス情報を上記表示時間情報に基づいて当該第２の端末装置の表示手段に表示又は非表示させるよう制御し、上記表示時間情報として、上記表示開始時間情報と、上記表示継続時間情報とを読み出し、読み出した上記アドレス情報を上記表示開始時間情報に基づいて上記第２の端末装置の表示手段に表示させ、上記表示手段に表示させた上記アドレス情報を上記表示継続時間情報に基づいて非表示にするよう制御すること
を特徴とする番組関連情報提供方法。
【請求項１７】
番組の属性情報である番組情報及び番組表を蓄積する蓄積手段を有し、端末装置からの送信要求に応じて上記番組情報及び番組表をネットワーク網を介して上記端末装置に送信する番組関連情報提供装置であって、
上記端末装置から送信される上記番組表中の番組に対する番組記視聴要求に応じて当該番組の上記端末装置への受信を許可する受信許可手段と、
上記受信許可手段によって上記端末装置への受信を許可すると同時に上記蓄積手段に蓄積された番組情報を検索する検索手段と、
上記検索手段によって検索された番組情報のうち、当該番組と関連した番組関連情報のネットワーク網上の所在地を示すと同時に当該番組関連情報にアクセス可能なアドレス情報と、上記アドレス情報の表示時間を規定する表示時間情報とを備える上記端末装置に上記アドレス情報を表示させる制御命令である番組関連情報アドレス表示スクリプトを生成する番組関連情報アドレス表示スクリプト生成手段と、
上記番組関連情報アドレス表示スクリプト生成手段によって生成された番組関連情報アドレス表示スクリプトを上記端末装置に送信するスクリプト送信手段とを備え、
上記番組関連情報アドレス表示スクリプト生成手段は、生成する上記番組関連情報アドレス表示スクリプトの表示時間情報として、番組視聴要求をした上記番組の放送開始時間である放送開始時間情報と、上記アドレス情報の表示タイミングを規定する番組の放送開始時間を基準とした相対時間である表示開始時間情報と、上記アドレス情報の表示継続時間を規定する表示継続時間情報とを用い、
上記送信手段は、番組関連情報をユーザにリアルタイムで提供する際には、上記アドレス情報のそれぞれに、ユーザ毎に異なるアクセス時間を指定したコメントを添附する
ことを特徴とする番組関連情報提供装置。
【請求項１８】
番組の属性情報である番組情報及び番組表を蓄積する蓄積手段を有し、端末装置からの送信要求に応じて上記番組情報及び番組表をネットワーク網を介して上記端末装置に送信する番組関連情報提供装置の番組関連情報提供方法であって、
上記端末装置から送信される上記番組表中の番組に対する番組記視聴要求に応じて当該番組の上記端末装置への受信を許可し、
上記端末装置への受信を許可すると同時に上記蓄積手段に蓄積された番組情報を検索し、
検索された上記番組情報のうち、当該番組と関連した番組関連情報のネットワーク網上の所在地を示すと同時に当該番組関連情報にアクセス可能なアドレス情報と、上記アドレス情報の表示時間を規定する表示時間情報とを備える上記端末装置に上記アドレス情報を表示させる制御命令である番組関連情報アドレス表示スクリプトを生成し、
生成された上記番組関連情報アドレス表示スクリプトを上記端末装置に送信し、  上記番組関連情報アドレス表示スクリプトの表示時間情報として、番組視聴要求をした上記番組の放送開始時間である放送開始時間情報と、上記アドレス情報の表示タイミングを規定する番組の放送開始時間を基準とした相対時間である表示開始時間情報と、上記アドレス情報の表示継続時間を規定する表示継続時間情報とを用い、
上記送信手段は、番組関連情報をユーザにリアルタイムで提供する際には、上記アドレス情報のそれぞれに、ユーザ毎に異なるアクセス時間を指定したコメントを添附する
ことを特徴とする番組関連情報提供方法。
【請求項１９】
番組の属性情報である番組情報及び番組表を蓄積する蓄積手段を有し、端末装置からの送信要求に応じて上記番組情報及び番組表を送信する番組関連情報提供装置と、上記番組関連情報提供装置から送信される番組表中の番組の番組視聴要求を上記番組関連情報提供装置に送信する上記端末装置とがネットワーク網を介し接続された番組関連情報提供システムであって、
上記番組関連情報提供装置は、上記端末装置から送信される上記番組表中の番組に対する番組記視聴要求に応じて当該番組の上記端末装置への受信を許可する受信許可手段と、上記受信許可手段によって上記端末装置への受信を許可すると同時に上記蓄積手段に蓄積された番組情報を検索する検索手段と、上記検索手段によって検索された番組情報のうち、当該番組と関連した番組関連情報のネットワーク網上の所在地を示すと同時に当該番組関連情報にアクセス可能なアドレス情報と、上記アドレス情報の表示時間を規定する表示時間情報とを備える上記端末装置に上記アドレス情報を表示させる制御命令である番組関連情報アドレス表示スクリプトを生成する番組関連情報アドレス表示スクリプト生成手段と、上記番組関連情報アドレス表示スクリプト生成手段によって生成された番組関連情報アドレス表示スクリプトを上記端末装置に送信するスクリプト送信手段とを有し、
上記番組関連情報アドレス表示スクリプト生成手段は、生成する上記番組関連情報アドレス表示スクリプトの表示時間情報として、番組視聴要求をした上記番組の放送開始時間である放送開始時間情報と、上記アドレス情報の上記表示手段に表示する表示タイミングを規定する番組の放送開始時間を基準とした相対時間である表示開始時間情報と、上記表示手段に表示された上記アドレス情報の表示継続時間を規定する表示継続時間情報とを用い、上記送信手段は、番組関連情報をユーザにリアルタイムで提供する際には、上記アドレス情報のそれぞれに、ユーザ毎に異なるアクセス時間を指定したコメントを添附し、
上記端末装置は、上記番組関連情報提供装置の受信許可手段によって許可された番組を受信する第１の受信手段と、上記第１の受信手段で受信した番組を表示する表示手段と、上記送信手段から送信された番組関連情報アドレス表示スクリプトを受信する第２の受信手段と、上記第２の受信手段で受信した番組関連情報アドレス表示スクリプトから上記アドレス情報と、上記表示時間情報とを検出する検出手段と、上記検出手段によって検出した上記表示時間情報に基づいて上記アドレス情報を上記表示手段に表示又は非表示させるよう制御する制御手段と、上記放送開始時間情報と上記表示開始時間情報とを加算してアドレス表示開始時間情報を算出し、算出した上記アドレス表示開始時間情報と上記表示継続時間情報とを加算してアドレス表示終了時間情報を算出する演算手段を有し、上記制御手段は、上記演算手段によって算出されたアドレス表示開始時間情報に基づいて当該端末装置の表示部に上記アドレス情報を表示させ、上記演算手段によって算出されたアドレス表示終了時間情報に基づいて当該端末装置の表示部に表示されている上記アドレス情報の表示を終了させるよう制御すること
を特徴とする番組関連情報提供システム。
【請求項２０】
上記番組関連情報提供装置は、上記端末装置に送信するアドレス情報の提供者であるアドレス情報提供者から料金を徴収する料金徴収手段を有すること
を特徴とする請求項１９載の番組関連情報提供システム。
【請求項２１】
番組の属性情報である番組情報及び番組表を蓄積する蓄積手段を有し、端末装置からの送信要求に応じて上記番組情報及び番組表を送信する番組関連情報提供装置と、上記番組関連情報提供装置から送信される番組表中の番組の番組視聴要求を上記番組関連情報提供装置に送信する上記端末装置とがネットワーク網を介し接続された番組関連情報提供システムの番組関連情報提供方法であって、
上記番組関連情報提供装置は、上記端末装置から送信される上記番組表中の番組に対する番組記視聴要求に応じて当該番組の上記端末装置への受信を許可し、
上記端末装置は、上記番組関連情報提供装置によって許可された番組を受信し、受信した番組を当該端末装置の表示手段に表示し、
上記番組関連情報提供装置は、上記端末装置への受信を許可すると同時に上記蓄積手段に蓄積された番組情報を検索し、検索された上記番組情報のうち、当該番組と関連した番組関連情報のネットワーク網上の所在地を示すと同時に当該番組関連情報にアクセス可能なアドレス情報と、上記アドレス情報の表示時間を規定する表示時間情報とを備える上記端末装置に上記アドレス情報を表示させる制御命令である番組関連情報アドレス表示スクリプトを生成し、生成された上記番組関連情報アドレス表示スクリプトを上記端末装置に送信し、上記番組関連情報アドレス表示スクリプトの表示時間情報として、番組視聴要求をした上記番組の放送開始時間である放送開始時間情報と、上記アドレス情報の上記表示手段に表示する表示タイミングを規定する番組の放送開始時間を基準とした相対時間である表示開始時間情報と、上記表示手段に表示された上記アドレス情報の表示継続時間を規定する表示継続時間情報とを用い、番組関連情報をユーザにリアルタイムで提供する際には、上記アドレス情報のそれぞれに、ユーザ毎に異なるアクセス時間を指定したコメントを添附し、
上記端末装置は、上記番組関連情報提供装置から送信された上記番組関連情報アドレス表示スクリプトを受信し、受信した上記番組関連情報アドレス表示スクリプトから上記アドレス情報と、上記表示時間情報とを検出し、検出した上記表示時間情報に基づいて上記アドレス情報を当該端末装置の表示手段に表示又は非表示させるよう制御し、上記放送開始時間情報と上記表示開始時間情報とを加算してアドレス表示開始時間情報を算出し、算出した上記アドレス表示開始時間情報と上記表示継続時間情報とを加算してアドレス表示終了時間情報を算出し、算出されたアドレス表示開始時間情報に基づいて当該端末装置の表示部に上記アドレス情報を表示させ、上記演算手段によって算出されたアドレス表示終了時間情報に基づいて当該端末装置の表示部に表示されている上記アドレス情報の表示を終了させるよう制御すること
を特徴とする番組関連情報提供方法。
【発明の詳細な説明】
【０００１】
【発明の属する技術分野】
本発明は、番組の番組関連情報を番組視聴時のユーザ対してに提供する番組関連情報提供装置、番組関連情報提供システム、番組関連情報提供方法に関する。
【０００２】
【従来の技術】
テレビジョン放送で放送される番組に関連した情報、例えば、放送される番組がドラマなら俳優の所持品、ドラマで登場するロケーションの情報、スポーツ番組なら選手の履歴、料理番組ならレシピ、旅行番組ならロケーションなどの番組関連情報を番組を視聴しているユーザに番組視聴時にリアルタイムで提供する手法が考案されている。
【０００３】
このようなテレビジョン放送で放送される番組の番組関連情報をユーザの番組視聴時に提供するために、テレビジョン信号の垂直帰線期間を利用する手法がある。
【０００４】
テレビジョン信号には、通常のテレビジョン信号受像機では表示されない垂直帰線期間があり、この垂直帰線期間に番組関連関連情報を挿入することでテレビジョン信号と番組関連情報とを多重化させることができる。
【０００５】
この番組関連情報が多重化されたテレビジョン信号を送信することで、番組と、当該番組に関連した番組関連情報とをユーザに提供することができる。
【０００６】
【発明が解決しようとする課題】
しかし、テレビジョン信号の垂直帰線期間は、限られた周波数帯域であるため、挿入する番組関連情報の情報量が制限されてしまうので、ユーザに提供する番組関連情報の自由度が大幅に低下するといった問題がある。
【０００７】
また、テレビジョン信号に番組関連情報を多重化させた場合、必然的に情報量が増えるため情報を伝送するための伝送時間が増加してしまうといった問題がある。
【０００８】
さらにまた、番組関連情報をユーザの番組視聴時に番組の所定のシーンで提供するには、あらかじめ当該番組関連情報を受像機側でキャッシングしておく必要があるため、それに対応するには受像機の装置構成が煩雑になるといった問題がある。
【０００９】
そこで、本発明は上述したような問題を解決するために案出されたものであり、提供する番組関連情報の情報量を減らすことなく、簡便な装置構成及び方法でユーザの番組視聴時に番組関連情報を提供することができる番組関連情報提供装置、番組関連情報提供システム、番組関連情報提供方法を提供することを目的とする。
【００１０】
【課題を解決するための手段】
上述の目的を達成するために、本発明は、番組の属性情報である番組情報及び番組表を蓄積する蓄積手段を有し、端末装置からの送信要求に応じて番組情報及び番組表をネットワーク網を介して上記端末装置に送信する番組関連情報提供装置であって、上記端末装置から送信される上記番組表中の番組に対する番組記録予約設定要求に応じて上記蓄積手段に蓄積された番組情報を検索する検索手段と、上記検索手段によって検索された番組情報に基づいて上記番組表中の番組を記録媒体に記録させる制御命令である第１の番組記録予約設定スクリプトを生成する第１の番組記録予約設定スクリプト生成手段と、上記検索手段によって検索された番組情報のうち、当該番組と関連した番組関連情報のネットワーク網上の所在地を示すと同時に当該番組関連情報にアクセス可能なアドレス情報と、上記アドレス情報の表示時間を規定する表示時間情報とを備える上記端末装置に上記アドレス情報を表示させる制御命令である番組関連情報アドレス表示スクリプトを生成する番組関連情報アドレス表示スクリプト生成手段と、上記番組関連情報アドレス表示スクリプトを上記第１の番組記録予約設定スクリプトに添附して第２の番組記録予約設定スクリプトを生成する第２の番組記録予約設定スクリプト生成手段と、上記第２の番組記録予約設定スクリプト生成手段によって番組関連情報アドレス表示スクリプトを添附された第２の番組記録予約設定スクリプトを上記端末装置に送信する送信手段とを備え、上記番組関連情報アドレス表示スクリプト生成手段は、生成する上記番組関連情報アドレス表示スクリプトの表示時間情報として、上記アドレス情報の表示タイミングを規定する番組の放送開始時間を基準とした相対時間である表示開始時間情報と、表示されたアドレス情報の表示継続時間を規定する表示継続時間情報とを用い、上記送信手段は、上記番組関連情報をユーザにリアルタイムで提供する際には、上記アドレス情報のそれぞれに、ユーザ毎に異なるアクセス時間を指定したコメントを添附することを特徴とする。
【００１１】
上述の目的を達成するために、本発明は、番組の属性情報である番組情報及び番組表を蓄積する蓄積手段を有し、端末装置からの送信要求に応じて上記番組情報及び番組表をネットワーク網を介して上記端末装置に送信する番組関連情報提供装置の番組関連情報提供方法であって、上記端末装置から送信される上記番組表中の番組に対する番組記録予約設定要求に応じて上記蓄積手段に蓄積された番組情報を検索し、検索された上記番組情報に基づいて上記番組表中の番組を記録媒体に記録させる制御命令である第１の番組記録予約設定スクリプトを生成し、検索された上記番組情報のうち、当該番組と関連した番組関連情報のネットワーク網上の所在地を示すと同時に当該番組関連情報にアクセス可能なアドレス情報と、上記アドレス情報の表示時間を規定する表示時間情報とを備える上記端末装置に上記アドレス情報を表示させる制御命令である番組関連情報アドレス表示スクリプトを生成し、上記番組関連情報アドレス表示スクリプトを上記第１の番組記録予約設定スクリプトに添附して第２の番組記録予約設定スクリプトを生成し、上記番組関連情報アドレス表示スクリプトを添附された第２の番組記録予約設定スクリプトを上記端末装置に送信し、上記番組関連情報アドレス表示スクリプトの表示時間情報として、上記アドレス情報の表示タイミングを規定する番組の放送開始時間を基準とした相対時間である表示開始時間情報と、表示されたアドレス情報の表示継続時間を規定する表示継続時間情報とを用い、上記番組関連情報をユーザにリアルタイムで提供する際には、上記アドレス情報のそれぞれに、ユーザ毎に異なるアクセス時間を指定したコメントを添附することを特徴とする。
【００１２】
上述の目的を達成するために、本発明は、番組の属性情報である番組情報及び番組表を蓄積する蓄積手段を有し、第１の端末装置からの送信要求に応じて上記番組情報及び番組表をネットワーク網を介して上記第１の端末装置に送信する番組関連情報提供装置であって、上記第１の端末装置から送信される上記番組表中の番組に対する番組記録予約設定要求に応じて上記蓄積手段に蓄積された番組情報を検索する検索手段と、上記検索手段によって検索された番組情報に基づいて上記番組表中の番組を記録媒体に記録させる制御命令である第１の番組記録予約設定スクリプトを生成する第１の番組記録予約設定スクリプト生成手段と、上記検索手段によって検索された番組情報のうち、当該番組と関連した番組関連情報のネットワーク網上の所在地を示すと同時に当該番組関連情報にアクセス可能なアドレス情報と、上記アドレス情報の表示時間を規定する表示時間情報とを備えた第２端末装置に上記アドレス情報を表示させる制御命令である番組関連情報アドレス表示スクリプトを生成する番組関連情報アドレス表示スクリプト生成手段と、上記番組関連情報アドレス表示スクリプトを上記第１の番組記録予約設定スクリプトに添附して第２の番組記録予約設定スクリプトを生成する第２の番組記録予約設定スクリプト生成手段と、上記第２の番組記録予約設定スクリプト生成手段によって番組関連情報アドレス表示スクリプトを添附された第２の番組記録予約設定スクリプトを上記第２の端末装置に送信する送信手段とを備え、上記番組関連情報アドレス表示スクリプト生成手段は、生成する上記番組関連情報アドレス表示スクリプトの表示時間情報として、上記アドレス情報の表示タイミングを規定する番組の放送開始時間を基準とした相対時間である表示開始時間情報と、表示されたアドレス情報の表示継続時間を規定する表示継続時間情報とを用い、上記送信手段は、上記番組関連情報をユーザにリアルタイムで提供する際には、上記アドレス情報のそれぞれに、ユーザ毎に異なるアクセス時間を指定したコメントを添附することを特徴とする。
【００１３】
上述の目的を達成するために、本発明は、番組の属性情報である番組情報及び番組表を蓄積する蓄積手段を有し、第１の端末装置からの送信要求に応じて上記番組情報及び番組表をネットワーク網を介して上記第１の端末装置に送信する番組関連情報提供装置の番組関連情報提供方法であって、上記第１の端末装置から送信される上記番組表中の番組に対する番組記録予約設定要求に応じて上記蓄積手段に蓄積された番組情報を検索し、検索された上記番組情報に基づいて上記番組表中の番組を記録媒体に記録させる制御命令である第１の番組記録予約設定スクリプトを生成し、検索された上記番組情報のうち、当該番組と関連した番組関連情報のネットワーク網上の所在地を示すと同時に当該番組関連情報にアクセス可能なアドレス情報と、上記アドレス情報の表示時間を規定する表示時間情報とを備えた第２端末装置に上記アドレス情報を表示させる制御命令である番組関連情報アドレス表示スクリプトを生成し、上記番組関連情報アドレス表示スクリプトを上記第１の番組記録予約設定スクリプトに添附して第２の番組記録予約設定スクリプトを生成し、上記番組関連情報アドレス表示スクリプトを添附された第２の番組記録予約設定スクリプトを第２の端末装置に送信し、上記番組関連情報アドレス表示スクリプトの表示時間情報として、上記アドレス情報の表示タイミングを規定する番組の放送開始時間を基準とした相対時間である表示開始時間情報と、表示されたアドレス情報の表示継続時間を規定する表示継続時間情報とを用い、上記番組関連情報をユーザにリアルタイムで提供する際には、上記アドレス情報のそれぞれに、ユーザ毎に異なるアクセス時間を指定したコメントを添附することを特徴とする。
【００１４】
上述の目的を達成するために、本発明は、番組の属性情報である番組情報及び番組表を蓄積する蓄積手段を有し、端末装置からの送信要求に応じて上記番組情報及び番組表を上記端末装置に送信する番組関連情報提供装置と、上記番組関連情報提供装置から送信される番組表中の番組の番組記録予約設定要求をし、上記番組記録予約設定要求をした番組を記録媒体に記録する記録手段と、上記記録媒体に記録した番組を再生する再生手段とを有する上記端末装置とがネットワーク網を介し接続された番組関連情報提供システムであって、上記番組関連情報提供装置は、上記端末装置からの番組記録予約設定要求に応じて上記蓄積手段に蓄積された番組情報を検索する検索手段と、上記検索手段によって検索された番組情報に基づいて上記番組表中の番組を記録媒体に記録させる制御命令である第１の番組記録予約設定スクリプトを生成する第１の番組記録予約設定スクリプト生成手段と、上記検索手段によって検索された番組情報のうち、上記番組と関連した番組関連情報の上記ネットワーク網上の所在地を示すアドレス情報と、上記アドレス情報の表示時間を規定する表示時間情報とを備える上記端末装置に対する制御命令である番組関連情報アドレス表示スクリプトを生成する番組関連情報アドレス表示スクリプト生成手段と、上記番組関連情報アドレス表示スクリプトを上記第１の番組記録予約設定スクリプトに添附して第２の番組記録予約設定スクリプトを生成する第２の番組記録予約設定スクリプト生成手段と、上記第２の番組記録予約設定スクリプト生成手段によって番組関連情報アドレス表示スクリプトを添附された上記第２の番組記録予約設定スクリプトを上記端末装置に送信する送信手段とを有し、上記番組関連情報アドレス表示スクリプト生成手段は、生成する上記番組関連情報アドレス表示スクリプトの表示時間情報として、上記アドレス情報の表示タイミングを規定する番組の放送開始時間を基準とした相対時間である表示開始時間情報と、表示されたアドレス情報の表示継続時間を規定する表示継続時間情報とを用い、上記送信手段は、上記番組関連情報をユーザにリアルタイムで提供する際には、上記アドレス情報のそれぞれに、ユーザ毎に異なるアクセス時間を指定したコメントを添附し、上記端末装置は、上記番組関連情報提供装置の送信手段から送信された第２の番組記録予約設定スクリプトを受信する第１の受信手段と、上記第１の受信手段で受信した第２の番組記録予約設定スクリプトから第１の番組記録予約設定スクリプトを検出する検出手段と、上記検出手段によって検出された第１の番組記録予約設定スクリプトの指定する番組を所定の時間に受信する第２の受信手段と、上記検出手段によって検出された第１の番組記録予約設定スクリプトを番組記録予約設定制御信号に変換する信号変換手段と、上記信号変換手段によって変換された番組記録予約設定制御信号に応じて上記記録手段を駆動制御して上記第２の受信手段で受信した番組と上記第１の受信手段で受信した第２の番組記録予約設定スクリプトに添附された当該番組の上記番組関連情報アドレス表示スクリプトとを上記記録媒体に記録させるよう制御する制御手段と、上記信号変換手段によって変換された番組記録予約設定制御信号に応じて上記記録手段を駆動制御して上記第２の受信手段で受信した番組と上記第１の受信手段で受信した第２の番組記録予約設定スクリプトに添附された当該番組の上記番組関連情報アドレス表示スクリプトとを上記記録媒体に記録させるよう制御する制御手段と、上記再生手段によって再生された番組を表示する表示手段とを有し、上記制御手段は、再生要求に応じて、上記再生手段を制御して上記記録媒体に記録した番組を再生すると同時に、上記記録媒体に記録した番組関連情報アドレス表示スクリプトが備える上記アドレス情報と、上記表示時間情報とを読み出し、読み出した上記アドレス情報を上記表示時間情報に基づいて上記表示手段に表示又は非表示させるよう制御し、上記制御手段は、再生要求に応じて、上記再生手段を制御して上記記録媒体に記録した番組を再生すると同時に、上記記録媒体に記録した番組関連情報アドレス表示スクリプトが備える上記アドレス情報と、上記表示時間情報とを読み出し、読み出した上記アドレス情報を上記表示時間情報に基づいて上記表示手段に表示又は非表示させるよう上記表示時間情報として、上記表示開始時間情報と、上記表示継続時間情報とを読み出し、読み出したアドレス情報を上記表示開始時間情報に基づいて当該端末装置の表示手段に表示させ、上記表示手段に表示させた上記アドレス情報を上記表示継続時間情報に基づいて非表示にするよう制御することを特徴とする。
【００１５】
上述の目的を達成するために、本発明は、番組の属性情報である番組情報及び番組表を蓄積する蓄積手段を有し、端末装置からの送信要求に応じて上記番組情報及び番組表を上記端末装置に送信する番組関連情報提供装置と、上記番組関連情報提供装置から送信される番組表中の番組の番組記録予約設定要求をし、上記番組記録予約設定要求をした番組を記録媒体に記録する記録手段と、上記記録媒体に記録した番組を再生する再生手段とを有する上記端末装置とがネットワーク網を介し接続された番組関連情報提供システムの番組関連情報提供方法であって、上記番組関連情報提供装置は、上記端末装置からの番組記録予約設定要求に応じて上記蓄積手段に蓄積された番組情報を検索し、検索された上記番組情報に基づいて上記番組表中の番組を記録媒体に記録させる記録装置に対する制御命令である第１の番組記録予約設定スクリプトを生成し、検索された上記番組情報のうち、上記番組と関連した番組関連情報の上記ネットワーク網上の所在地を示すアドレス情報と、上記アドレス情報の表示時間を規定する表示時間情報とを備える上記端末装置に対する制御命令である番組関連情報アドレス表示スクリプトを生成し、上記番組関連情報アドレス表示スクリプトを上記第１の番組記録予約設定スクリプトに添附して第２の番組記録予約設定スクリプトを生成し、上記番組関連情報アドレス表示スクリプトを添附された上記第２の番組記録予約設定スクリプトを端末装置に送信し、上記番組関連情報アドレス表示スクリプトの表示時間情報として、上記アドレス情報の表示タイミングを規定する番組の放送開始時間を基準とした相対時間である表示開始時間情報と、表示されたアドレス情報の表示継続時間を規定する表示継続時間情報とを用い、上記番組関連情報をユーザにリアルタイムで提供する際には、上記アドレス情報のそれぞれに、ユーザ毎に異なるアクセス時間を指定したコメントを添附し、上記端末装置は、上記端末装置から送信された上記第２の番組記録予約設定スクリプトを受信し、受信した上記第２の番組記録予約設定スクリプトから第１の番組記録予約設定スクリプトを検出し、検出された上記第１の番組記録予約設定スクリプトの指定する番組を所定の時間に受信し、検出された上記第１の番組記録予約設定スクリプトを番組記録予約設定制御信号に変換し、変換された上記番組記録予約設定制御信号に応じて上記記録手段を駆動制御して受信した上記番組と、受信した上記第２の番組記録予約設定スクリプトに添附された当該番組の上記番組関連情報アドレス表示スクリプトとを上記記録媒体に記録させるよう制御し、再生要求に応じて、上記再生手段を制御して上記記録媒体に記録した番組を再生すると同時に、上記記録媒体に記録した番組関連情報アドレス表示スクリプトが備える上記アドレス情報と、上記表示時間情報とを読み出し、読み出した上記アドレス情報を上記表示時間情報に基づいて当該端末装置の表示手段に表示又は非表示させるよう制御し、上記表示時間情報として、上記表示開始時間情報と、上記表示継続時間情報とを読み出し、読み出したアドレス情報を上記表示開始時間情報に基づいて当該端末装置の表示手段に表示させ、上記表示手段に表示させた上記アドレス情報を上記表示継続時間情報に基づいて非表示にするよう制御することを特徴とする。
【００１６】
上述の目的を達成するために、本発明は、番組の属性情報である番組情報及び番組表を蓄積する蓄積手段を有し、第１の端末装置からの送信要求に応じて上記番組情報及び番組表を上記第１の端末装置に送信する番組関連情報提供装置と、上記番組関連情報提供装置から送信される番組表中の番組の番組記録予約設定要求をする上記第１の端末装置と、上記第１の端末装置によって上記番組記録予約要求をした番組を記録媒体に記録する記録手段と、上記記録媒体に記録した番組を再生する再生手段とを有する第２の端末装置とがネットワーク網を介し接続された番組関連情報提供システムであって、上記番組関連情報提供装置は、上記第１の端末装置からの番組記録予約設定要求に応じて上記蓄積手段に蓄積された番組情報を検索する検索手段と、上記検索手段によって検索された番組情報に基づいて上記番組表中の番組を記録媒体に記録させる制御命令である第１の番組記録予約設定スクリプトを生成する第１の番組記録予約設定スクリプト生成手段と、上記検索手段によって検索された番組情報のうち、上記番組と関連した番組関連情報の上記ネットワーク網上の所在地を示すアドレス情報と、上記アドレス情報の表示時間を規定する表示時間情報とを備える上記第２の端末装置に対する制御命令である番組関連情報アドレス表示スクリプトを生成する番組関連情報アドレス表示スクリプト生成手段と、上記番組関連情報アドレス表示スクリプトを上記第１の番組記録予約設定スクリプトに添附して第２の番組記録予約設定スクリプトを生成する第２の番組記録予約設定スクリプト生成手段と、上記第２の番組記録予約設定スクリプト生成手段によって番組関連情報アドレス表示スクリプトを添附された上記第２の番組記録予約設定スクリプトを上記第２の端末装置に送信する送信手段とを有し、上記番組関連情報アドレス表示スクリプト生成手段は、生成する上記番組関連情報アドレス表示スクリプトの表示時間情報として、上記アドレス情報の表示タイミングを規定する番組の放送開始時間を基準とした相対時間である表示開始時間情報と、表示されたアドレス情報の表示継続時間を規定する表示継続時間情報とを用い、上記送信手段は、番組関連情報をユーザにリアルタイムで提供する際には、上記アドレス情報のそれぞれに、ユーザ毎に異なるアクセス時間を指定したコメントを添附し、上記第２端末装置は、上記番組関連情報提供装置の送信手段から送信された第２の番組記録予約設定スクリプトを受信する第１の受信手段と、上記第１の受信手段で受信した第２の番組記録予約設定スクリプトから第１の番組記録予約設定スクリプトを検出する検出手段と、上記検出手段によって検出された第１の番組記録予約設定スクリプトの指定する番組を所定の時間に受信する第２の受信手段と、上記検出手段によって検出された第１の番組記録予約設定スクリプトを番組記録予約設定制御信号に変換する信号変換手段と、上記信号変換手段によって変換された番組記録予約設定制御信号に応じて上記記録手段を駆動制御して上記第２の受信手段で受信した番組と上記第１の受信手段で受信した第２の番組記録予約設定スクリプトに添附された当該番組の上記番組関連情報アドレス表示スクリプトとを上記記録媒体に記録させるよう制御する制御手段と、上記再生手段によって再生された番組を表示する表示手段とを有し、上記制御手段は、再生要求に応じて、上記再生手段を制御して上記記録媒体に記録した番組を再生すると同時に、上記記録媒体に記録した番組関連情報アドレス表示スクリプトが備える上記アドレス情報を上記表示時間情報に基づいて上記表示手段に表示又は非表示させるよう制御し、上記表示時間情報として、上記表示開始時間情報と、上記表示継続時間情報とを読み出し、読み出したアドレス情報を上記表示開始時間情報に基づいて当該端末装置の表示手段に表示させ、上記表示手段に表示させた上記アドレス情報を上記表示継続時間情報に基づいて非表示にするよう制御することを特徴とする。
【００１７】
上述の目的を達成するために、本発明は、番組の属性情報である番組情報及び番組表を蓄積する蓄積手段を有し、第１の端末装置からの送信要求に応じて上記番組情報及び番組表を上記第１の端末装置に送信する番組関連情報提供装置と、上記番組関連情報提供装置から送信される番組表中の番組の番組記録予約設定要求をする上記第１の端末装置と、上記第１の端末装置によって上記番組記録予約要求をした番組を記録媒体に記録する記録手段と、上記記録媒体に記録した番組を再生する再生手段とを有する第２の端末装置とがネットワーク網を介し接続された番組関連情報提供システムの番組関連情報提供方法であって、上記番組関連情報提供装置は、上記第１の端末装置からの番組記録予約設定要求に応じて上記蓄積手段に蓄積された番組情報を検索し、検索された上記番組情報に基づいて上記番組表中の番組を記録媒体に記録させる制御命令である第１の番組記録予約設定スクリプトを生成し、検索された上記番組情報のうち、上記番組と関連した番組関連情報の上記ネットワーク網上の所在地を示すアドレス情報と、上記アドレス情報の表示時間を規定する表示時間情報とを備える上記第２の端末装置に対する制御命令である番組関連情報アドレス表示スクリプトを生成し、上記番組関連情報アドレス表示スクリプトを上記第１の番組記録予約設定スクリプトに添附して第２の番組記録予約設定スクリプトを生成し、上記第２の番組記録予約設定スクリプト生成手段によって番組関連情報アドレス表示スクリプトを添附された上記第２の番組記録予約設定スクリプトを上記第２の端末装置に送信し、上記番組関連情報アドレス表示スクリプトの表示時間情報として、上記アドレス情報の表示タイミングを規定する番組の放送開始時間を基準とした相対時間である表示開始時間情報と、表示されたアドレス情報の表示継続時間を規定する表示継続時間情報とを用い、番組関連情報をユーザにリアルタイムで提供する際には、上記アドレス情報のそれぞれに、ユーザ毎に異なるアクセス時間を指定したコメントを添附し、上記第２端末装置は、上記番組関連情報提供装置から送信された第２の番組記録予約設定スクリプトを受信し、受信した上記第２の番組記録予約設定スクリプトから第１の番組記録予約設定スクリプトを検出し、検出された上記第１の番組記録予約設定スクリプトの指定する番組を所定の時間に受信し、検出された上記第１の番組記録予約設定スクリプトを番組記録予約設定制御信号に変換し、変換された上記番組記録予約設定制御信号に応じて上記記録手段を駆動制御して受信した番組と、受信した第２の番組記録予約設定スクリプトに添附された当該番組の上記番組関連情報アドレス表示スクリプトとを上記記録媒体に記録させるよう制御し、再生要求に応じて、上記再生手段を制御して上記記録媒体に記録した番組を再生すると同時に、上記記録媒体に記録した番組関連情報アドレス表示スクリプトが備える上記アドレス情報を上記表示時間情報に基づいて当該第２の端末装置の表示手段に表示又は非表示させるよう制御し、上記表示時間情報として、上記表示開始時間情報と、上記表示継続時間情報とを読み出し、読み出したアドレス情報を上記表示開始時間情報に基づいて当該端末装置の表示手段に表示させ、上記表示手段に表示させた上記アドレス情報を上記表示継続時間情報に基づいて非表示にするよう制御することを特徴とする。
【００１８】
上述の目的を達成するために、本発明は、番組の属性情報である番組情報及び番組表を蓄積する蓄積手段を有し、端末装置からの送信要求に応じて上記番組情報及び番組表を上記端末装置に送信する番組関連情報提供装置と、上記番組関連情報提供装置から送信される番組表中の番組の番組記録予約設定要求をする上記端末装置と、上記番組を記録媒体に記録する記録手段と、上記記録媒体に記録された番組を再生する再生手段とを有する記録再生装置とがネットワーク網を介し接続されている番組関連情報提供システムであって、上記番組関連情報提供装置は、上記端末装置からの番組記録予約設定要求に応じて上記蓄積手段に蓄積された番組情報を検索する検索手段と、上記検索手段によって検索された番組情報に基づいて上記番組表中の番組を記録媒体に記録させる記録再生装置に対する制御命令である第１の番組記録予約設定スクリプトを生成する第１の番組記録予約設定スクリプト生成手段と、上記検索手段によって検索された番組情報のうち、上記番組と関連した番組関連情報の上記ネットワーク網上の所在地を示すアドレス情報と、上記アドレス情報の表示時間を規定する表示時間情報とを備える上記端末装置に対する制御命令である番組関連情報アドレス表示スクリプトを生成する番組関連情報アドレス表示スクリプト生成手段と、上記番組関連情報アドレス表示スクリプトを上記第１の番組記録予約設定スクリプトに添附して第２の番組記録予約設定スクリプトを生成する第２の番組記録予約設定スクリプト生成手段と、上記第２の番組記録予約設定スクリプト生成手段によって番組関連情報アドレス表示スクリプトを添附された上記第２の番組記録予約スクリプトを上記端末装置に送信する送信手段とを有し、上記番組関連情報アドレス表示スクリプト生成手段は、生成する上記番組関連情報アドレス表示スクリプトの表示時間情報として、上記アドレス情報の表示タイミングを規定する番組の放送開始時間を基準とした相対時間である表示開始時間情報と、表示されたアドレス情報の表示継続時間を規定する表示継続時間情報とを用い、上記送信手段は、番組関連情報をユーザにリアルタイムで提供する際には、上記アドレス情報のそれぞれに、ユーザ毎に異なるアクセス時間を指定したコメントを添附し、上記端末装置は、送信手段から送信された第２の番組記録予約設定スクリプトを受信する第１の受信手段と、上記第１の受信手段で受信した番組記録予約設定スクリプトから第１の番組記録予約設定スクリプトを検出する検出手段と、上記検出手段によって検出された第１の番組記録予約設定スクリプトの指定する番組を所定の時間に受信する第２の受信手段と、上記検出手段によって検出された第１の番組記録予約設定スクリプトを番組記録予約設定制御信号に変換する信号変換手段と、上記信号変換手段によって変換された番組記録予約設定制御信号に応じて上記記録再生装置の記録手段を駆動制御して上記第２の受信手段で受信した番組と上記第１の受信手段で受信した第２の番組記録予約設定スクリプトに添附された当該番組の上記番組関連情報アドレス表示スクリプトとを上記記録媒体に記録させるよう制御する制御手段と、上記再生手段によって再生された番組を表示する表示手段とを有し、上記端末装置の制御手段は、再生要求に応じて、上記記録再生装置の再生手段を制御して上記記録媒体に記録した番組を再生すると同時に、上記記録媒体に記録した番組関連情報アドレス表示スクリプトが備える上記アドレス情報と、上記表示時間情報とを読み出し、読み出した上記アドレス情報を上記表示時間情報に基づいて上記表示手段に表示又は非表示させるよう制御し、上記表示時間情報として、上記表示開始時間情報と、上記表示継続時間情報とを読み出し、読み出したアドレス情報を上記表示開始時間情報に基づいて当該端末装置の表示手段に表示させ、上記表示手段に表示させた上記アドレス情報を上記表示継続時間情報に基づいて非表示にするよう制御することを特徴とする。
【００１９】
上述の目的を達成するために、本発明は、番組の属性情報である番組情報及び番組表を蓄積する蓄積手段を有し、端末装置からの送信要求に応じて上記番組情報及び番組表を上記端末装置に送信する番組関連情報提供装置と、上記番組関連情報提供装置から送信される番組表中の番組の番組記録予約設定要求をする上記端末装置と、上記番組を記録媒体に記録する記録手段と、上記記録媒体に記録された番組を再生する再生手段とを有する記録再生装置とがネットワーク網を介し接続されている番組関連情報提供システムの番組関連情報提供方法であって、上記番組関連情報提供装置は、上記端末装置からの番組記録予約設定要求に応じて上記蓄積手段に蓄積された番組情報を検索し、検索された上記番組情報に基づいて上記番組表中の番組を記録媒体に記録させる制御命令である第１の番組記録予約設定スクリプトを生成し、検索された上記番組情報のうち、上記番組と関連した番組関連情報の上記ネットワーク網上の所在地を示すアドレス情報と、上記アドレス情報の表示時間を規定する表示時間情報とを備える上記端末装置に対する制御命令である番組関連情報アドレス表示スクリプトを生成し、上記番組関連情報アドレス表示スクリプトを上記第１の番組記録予約設定スクリプトに添附して第２の番組記録予約設定スクリプトを生成し、上記番組関連情報アドレス表示スクリプトを添附された上記第２の番組記録予約スクリプトを上記端末装置に送信し、上記番組関連情報アドレス表示スクリプトの表示時間情報として、上記アドレス情報の表示タイミングを規定する番組の放送開始時間を基準とした相対時間である表示開始時間情報と、表示されたアドレス情報の表示継続時間を規定する表示継続時間情報とを用い、番組関連情報をユーザにリアルタイムで提供する際には、上記アドレス情報のそれぞれに、ユーザ毎に異なるアクセス時間を指定したコメントを添附し、上記端末装置は、上記番組関連情報提供装置から送信された第２の番組記録予約設定スクリプトを受信し、受信した上記番組記録予約設定スクリプトから第１の番組記録予約設定スクリプトを検出し、検出された上記第１の番組記録予約設定スクリプトの指定する番組を所定の時間に受信し、検出された上記第１の番組記録予約設定スクリプトを番組記録予約設定制御信号に変換し、変換された上記番組記録予約設定制御信号に応じて上記記録再生装置の記録手段を駆動制御して受信した上記番組と受信した上記第２の番組記録予約設定スクリプトに添附された当該番組の上記番組関連情報アドレス表示スクリプトとを上記記録媒体に記録させるよう制御し、再生要求に応じて、上記記録再生装置の再生手段を制御して上記記録媒体に記録した番組を再生すると同時に、上記記録媒体に記録した番組関連情報アドレス表示スクリプトが備える上記アドレス情報と、上記表示時間情報とを読み出し、読み出した上記アドレス情報を上記表示時間情報に基づいて当該端末装置の表示手段に表示又は非表示させるよう制御し、上記表示時間情報として、上記表示開始時間情報と、上記表示継続時間情報とを読み出し、読み出したアドレス情報を上記表示開始時間情報に基づいて当該端末装置の表示手段に表示させ、上記表示手段に表示させた上記アドレス情報を上記表示継続時間情報に基づいて非表示にするよう制御することを特徴とする。
【００２０】
上述の目的を達成するために、本発明システムは、番組の属性情報である番組情報及び番組表を蓄積する蓄積手段を有し、第１の端末装置からの送信要求に応じて上記番組情報及び番組表を上記第１の端末装置に送信する番組関連情報提供装置と、上記番組関連情報提供装置から送信される番組表中の番組の番組記録予約設定要求をする第２の端末装置と、上記番組を記録媒体に記録する記録手段と、上記記録媒体に記録された番組を再生する再生手段とを有する記録再生装置とがネットワーク網を介し接続されている番組関連情報提供システムであって、上記番組関連情報提供装置は、上記第１の端末装置からの番組記録予約設定要求に応じて上記蓄積手段に蓄積された番組情報を検索する検索手段と、上記検索手段によって検索された番組情報に基づいて上記番組表中の番組を記録媒体に記録させる上記記録再生装置に対する制御命令である第１の番組記録予約設定スクリプトを生成する第１の番組記録予約設定スクリプト生成手段と、上記検索手段によって検索された番組情報のうち、上記番組と関連した番組関連情報の上記ネットワーク網上の所在地を示すアドレス情報と、上記アドレス情報の表示時間を規定する表示時間情報とを備える上記端末装置に対する制御命令である番組関連情報アドレス表示スクリプトを生成する番組関連情報アドレス表示スクリプト生成手段と、上記番組関連情報アドレス表示スクリプトを上記第１の番組記録予約設定スクリプトに添附して第２の番組記録予約設定スクリプトを生成する第２の番組記録予約設定スクリプト生成手段と、上記第２の番組記録予約設定スクリプト生成手段によって番組関連情報アドレス表示スクリプトを添附された上記第２の番組記録予約スクリプトを第２の端末装置に送信する送信手段とを有し、上記番組関連情報アドレス表示スクリプト生成手段は、生成する上記番組関連情報アドレス表示スクリプトの表示時間情報として、上記アドレス情報の表示タイミングを規定する番組の放送開始時間を基準とした相対時間である表示開始時間情報と、表示されたアドレス情報の表示継続時間を規定する表示継続時間情報とを用い、上記送信手段は、番組関連情報をユーザにリアルタイムで提供する際には、上記アドレス情報のそれぞれに、ユーザ毎に異なるアクセス時間を指定したコメントを添附し、上記第２の端末装置は、上記番組関連情報提供装置の送信手段から送信された第２の番組記録予約設定スクリプトを受信する第１の受信手段と、上記第１の受信手段で受信した番組記録予約設定スクリプトから第１の番組記録予約設定スクリプトを検出する検出手段と、上記検出手段によって検出された第１の番組記録予約設定スクリプトの指定する番組を所定の時間に受信する第２の受信手段と、上記検出手段によって検出された第１の番組記録予約設定スクリプトを番組記録予約設定制御信号に変換する信号変換手段と、上記信号変換手段によって変換された番組記録予約設定制御信号に応じて上記記録再生装置の記録手段を駆動制御して上記第２の受信手段で受信した番組と上記第１の受信手段で受信した第２の番組記録予約設定スクリプトに添附された当該番組の上記番組関連情報アドレス表示スクリプトとを上記記録媒体に記録させるよう制御する制御手段と、上記再生手段によって再生された番組を表示する表示手段とを有し、上記制御手段は、再生要求に応じて、上記記録再生装置の再生手段を制御して上記記録媒体に記録した番組を再生すると同時に、上記記録媒体に記録した番組関連情報アドレス表示スクリプトが備える上記アドレス情報と、上記表示時間情報とを読み出し、読み出した上記アドレス情報を上記表示時間情報に基づいて当該第２の端末装置の表示手段に表示又は非表示させるよう制御し、上記表示時間情報として、上記表示開始時間情報と、上記表示継続時間情報とを読み出し、読み出した上記アドレス情報を上記表示開始時間情報に基づいて上記第２の端末装置の表示手段に表示させ、上記表示手段に表示させた上記アドレス情報を上記表示継続時間情報に基づいて非表示にするよう制御することを特徴とする。
【００２１】
上述の目的を達成するために、本発明は、番組の属性情報である番組情報及び番組表を蓄積する蓄積手段を有し、第１の端末装置からの送信要求に応じて上記番組情報及び番組表を上記第１の端末装置に送信する番組関連情報提供装置と、上記番組関連情報提供装置から送信される番組表中の番組の番組記録予約設定要求をする第２の端末装置と、上記番組を記録媒体に記録する記録手段と、上記記録媒体に記録された番組を再生する再生手段とを有する記録再生装置とがネットワーク網を介し接続されている番組関連情報提供システムの番組関連情報提供方法であって、上記番組関連情報提供装置は、上記第１の端末装置からの番組記録予約設定要求に応じて上記蓄積手段に蓄積された番組情報を検索し、検索された上記番組情報に基づいて上記番組表中の番組を記録媒体に記録させる制御命令である第１の番組記録予約設定スクリプトを生成し、検索された上記番組情報のうち、上記番組と関連した番組関連情報の上記ネットワーク網上の所在地を示すアドレス情報と、上記アドレス情報の表示時間を規定する表示時間情報とを備える上記端末装置に対する制御命令である番組関連情報アドレス表示スクリプトを生成し、上記番組関連情報アドレス表示スクリプトを上記第１の番組記録予約設定スクリプトに添附して第２の番組記録予約設定スクリプトを生成し、上記第２の番組記録予約設定スクリプト生成手段によって番組関連情報アドレス表示スクリプトを添附された上記第２の番組記録予約スクリプトを上記第２の端末装置に送信し、上記番組関連情報アドレス表示スクリプトの表示時間情報として、上記アドレス情報の表示タイミングを規定する番組の放送開始時間を基準とした相対時間である表示開始時間情報と、表示されたアドレス情報の表示継続時間を規定する表示継続時間情報とを用い、番組関連情報をユーザにリアルタイムで提供する際には、上記アドレス情報のそれぞれに、ユーザ毎に異なるアクセス時間を指定したコメントを添附し、上記第２の端末装置は、上記番組関連情報提供装置から送信された第２の番組記録予約設定スクリプトを受信し、受信した上記番組記録予約設定スクリプトから第１の番組記録予約設定スクリプトを検出し、検出された上記第１の番組記録予約設定スクリプトの指定する番組を所定の時間に受信し、検出された上記第１の番組記録予約設定スクリプトを番組記録予約設定制御信号に変換し、変換された上記番組記録予約設定制御信号に応じて上記記録再生装置の記録手段を駆動制御して受信した上記番組と、受信した上記第２の番組記録予約設定スクリプトに添附された当該番組の上記番組関連情報アドレス表示スクリプトとを上記記録媒体に記録させるよう制御し、再生要求に応じて上記記録再生装置の再生手段を制御して上記記録媒体に記録した番組を再生すると同時に、上記記録媒体に記録した番組関連情報アドレス表示スクリプトが備える上記アドレス情報と、上記表示時間情報とを読み出し、読み出した上記アドレス情報を上記表示時間情報に基づいて当該第２の端末装置の表示手段に表示又は非表示させるよう制御し、上記表示時間情報として、上記表示開始時間情報と、上記表示継続時間情報とを読み出し、読み出した上記アドレス情報を上記表示開始時間情報に基づいて上記第２の端末装置の表示手段に表示させ、上記表示手段に表示させた上記アドレス情報を上記表示継続時間情報に基づいて非表示にするよう制御することを特徴とする。
【００２２】
上述の目的を達成するために、本発明は、番組の属性情報である番組情報及び番組表を蓄積する蓄積手段を有し、端末装置からの送信要求に応じて上記番組情報及び番組表をネットワーク網を介して上記端末装置に送信する番組関連情報提供装置であって、上記端末装置から送信される上記端番組表中の番組に対する番組記視聴要求に応じて当該番組の記端端末装置への受信を許可する受信許可手段と、上記受信許可手段によって上記端末装置への受信を許可すると同時に上記蓄積手段に蓄積された番組情報を検索する検索手段と、上記検索手段によって検索された番組情報のうち、当該番組と関連した番組関連情報のネットワーク網上の所在地を示すと同時に当該番組関連情報にアクセス可能なアドレス情報と、上記アドレス情報の表示時間を規定する表示時間情報とを備える上記端末装置に上記アドレス情報を表示させる制御命令である番組関連情報アドレス表示スクリプトを生成する番組関連情報アドレス表示スクリプト生成手段と、上記番組関連情報アドレス表示スクリプト生成手段によって生成された番組関連情報アドレス表示スクリプトを上記端末装置に送信するスクリプト送信手段とを備え、上記番組関連情報アドレス表示スクリプト生成手段は、生成する上記番組関連情報アドレス表示スクリプトの表示時間情報として、番組視聴要求をした上記番組の放送開始時間である放送開始時間情報と、上記アドレス情報の表示タイミングを規定する番組の放送開始時間を基準とした相対時間である表示開始時間情報と、上記アドレス情報の表示継続時間を規定する表示継続時間情報とを用い、上記送信手段は、番組関連情報をユーザにリアルタイムで提供する際には、上記アドレス情報のそれぞれに、ユーザ毎に異なるアクセス時間を指定したコメントを添附することを特徴とする。
【００２３】
上述の目的を達成するために、本発明は、
番組の属性情報である番組情報及び番組表を蓄積する蓄積手段を有し、端末装置からの送信要求に応じて上記番組情報及び番組表をネットワーク網を介して上記端末装置に送信する番組関連情報提供装置の番組関連情報提供方法であって、上記端末装置から送信される上記番組表中の番組に対する番組記視聴要求に応じて当該番組の上記端末装置への受信を許可し、上記端末装置への受信を許可すると同時に上記蓄積手段に蓄積された番組情報を検索し、検索された上記番組情報のうち、当該番組と関連した番組関連情報のネットワーク網上の所在地を示すと同時に当該番組関連情報にアクセス可能なアドレス情報と、上記アドレス情報の表示時間を規定する表示時間情報とを備える上記端末装置に上記アドレス情報を表示させる制御命令である番組関連情報アドレス表示スクリプトを生成し、生成された上記番組関連情報アドレス表示スクリプトを上記端末装置に送信し、上記番組関連情報アドレス表示スクリプトの表示時間情報として、番組視聴要求をした上記番組の放送開始時間である放送開始時間情報と、上記アドレス情報の表示タイミングを規定する番組の放送開始時間を基準とした相対時間である表示開始時間情報と、上記アドレス情報の表示継続時間を規定する表示継続時間情報とを用い、上記送信手段は、番組関連情報をユーザにリアルタイムで提供する際には、上記アドレス情報のそれぞれに、ユーザ毎に異なるアクセス時間を指定したコメントを添附することを特徴とする。
【００２４】
上述の目的を達成するために、本発明は、番組の属性情報である番組情報及び番組表を蓄積する蓄積手段を有し、端末装置からの送信要求に応じて上記番組情報及び番組表を送信する番組関連情報提供装置と、上記番組関連情報提供装置から送信される番組表中の番組の番組視聴要求を上記番組関連情報提供装置に送信する上記端末装置とがネットワーク網を介し接続された番組関連情報提供システムであって、上記番組関連情報提供装置は、上記端末装置から送信される上記番組表中の番組に対する番組記視聴要求に応じて当該番組の上記端末装置への受信を許可する受信許可手段と、上記受信許可手段によって上記端末装置への受信を許可すると同時に上記蓄積手段に蓄積された番組情報を検索する検索手段と、上記検索手段によって検索された番組情報のうち、当該番組と関連した番組関連情報のネットワーク網上の所在地を示すと同時に当該番組関連情報にアクセス可能なアドレス情報と、上記アドレス情報の表示時間を規定する表示時間情報とを備える上記端末装置に上記アドレス情報を表示させる制御命令である番組関連情報アドレス表示スクリプトを生成する番組関連情報アドレス表示スクリプト生成手段と、上記番組関連情報アドレス表示スクリプト生成手段によって生成された番組関連情報アドレス表示スクリプトを上記端末装置に送信するスクリプト送信手段とを有し、上記番組関連情報アドレス表示スクリプト生成手段は、生成する上記番組関連情報アドレス表示スクリプトの表示時間情報として、番組視聴要求をした上記番組の放送開始時間である放送開始時間情報と、上記アドレス情報の上記表示手段に表示する表示タイミングを規定する番組の放送開始時間を基準とした相対時間である表示開始時間情報と、上記表示手段に表示された上記アドレス情報の表示継続時間を規定する表示継続時間情報とを用い、上記送信手段は、番組関連情報をユーザにリアルタイムで提供する際には、上記アドレス情報のそれぞれに、ユーザ毎に異なるアクセス時間を指定したコメントを添附し、上記端末装置は、上記番組関連情報提供装置の受信許可手段によって許可された番組を受信する第１の受信手段と、上記第１の受信手段で受信した番組を表示する表示手段と、上記送信手段から送信された番組関連情報アドレス表示スクリプトを受信する第２の受信手段と、上記第２の受信手段で受信した番組関連情報アドレス表示スクリプトから上記アドレス情報と、上記表示時間情報とを検出する検出手段と、上記検出手段によって検出した上記表示時間情報に基づいて上記アドレス情報を上記表示手段に表示又は非表示させるよう制御する制御手段と、上記放送開始時間情報と上記表示開始時間情報とを加算してアドレス表示開始時間情報を算出し、算出した上記アドレス表示開始時間情報と上記表示継続時間情報とを加算してアドレス表示終了時間情報を算出する演算手段を有し、上記制御手段は、上記演算手段によって算出されたアドレス表示開始時間情報に基づいて当該端末装置の表示部に上記アドレス情報を表示させ、上記演算手段によって算出されたアドレス表示終了時間情報に基づいて当該端末装置の表示部に表示されている上記アドレス情報の表示を終了させるよう制御することを特徴とする。
【００２５】
上述の目的を達成するために、本発明は、番組の属性情報である番組情報及び番組表を蓄積する蓄積手段を有し、端末装置からの送信要求に応じて上記番組情報及び番組表を送信する番組関連情報提供装置と、上記番組関連情報提供装置から送信される番組表中の番組の番組視聴要求を上記番組関連情報提供装置に送信する上記端末装置とがネットワーク網を介し接続された番組関連情報提供システムの番組関連情報提供方法であって、上記番組関連情報提供装置は、上記端末装置から送信される上記番組表中の番組に対する番組記視聴要求に応じて当該番組の上記端末装置への受信を許可し、上記端末装置は、上記番組関連情報提供装置によって許可された番組を受信し、受信した番組を当該端末装置の表示手段に表示し、上記番組関連情報提供装置は、上記端末装置への受信を許可すると同時に上記蓄積手段に蓄積された番組情報を検索し、検索された上記番組情報のうち、当該番組と関連した番組関連情報のネットワーク網上の所在地を示すと同時に当該番組関連情報にアクセス可能なアドレス情報と、上記アドレス情報の表示時間を規定する表示時間情報とを備える上記端末装置に上記アドレス情報を表示させる制御命令である番組関連情報アドレス表示スクリプトを生成し、生成された上記番組関連情報アドレス表示スクリプトを上記端末装置に送信し、上記番組関連情報アドレス表示スクリプトの表示時間情報として、番組視聴要求をした上記番組の放送開始時間である放送開始時間情報と、上記アドレス情報の上記表示手段に表示する表示タイミングを規定する番組の放送開始時間を基準とした相対時間である表示開始時間情報と、上記表示手段に表示された上記アドレス情報の表示継続時間を規定する表示継続時間情報とを用い、番組関連情報をユーザにリアルタイムで提供する際には、上記アドレス情報のそれぞれに、ユーザ毎に異なるアクセス時間を指定したコメントを添附し、上記端末装置は、上記番組関連情報提供装置から送信された上記番組関連情報アドレス表示スクリプトを受信し、受信した上記番組関連情報アドレス表示スクリプトから上記アドレス情報と、上記表示時間情報とを検出し、検出した上記表示時間情報に基づいて上記アドレス情報を当該端末装置の表示手段に表示又は非表示させるよう制御し、上記放送開始時間情報と上記表示開始時間情報とを加算してアドレス表示開始時間情報を算出し、算出した上記アドレス表示開始時間情報と上記表示継続時間情報とを加算してアドレス表示終了時間情報を算出し、算出されたアドレス表示開始時間情報に基づいて当該端末装置の表示部に上記アドレス情報を表示させ、上記演算手段によって算出されたアドレス表示終了時間情報に基づいて当該端末装置の表示部に表示されている上記アドレス情報の表示を終了させるよう制御することを特徴とする。
【００２６】
【発明の実施の形態】
以下、本発明に係る番組関連情報提供装置、番組関連情報提供システム、番組関連情報提供方法の実施の形態を図面を参照にして詳細に説明する。
【００２７】
本発明は、図１に示すような番組関連情報提供システム１に適用される。
【００２８】
番組関連情報提供システム１は、放送局２と、番組関連情報提供装置３と、端末装置４と、複数の番組関連情報提供サーバ６とがネットワーク網７を介して接続されている。
【００２９】
放送局２は、所定の周波数帯域のテレビ電波１０で所定の番組を端末装置４へ送信する。また、放送局２は、端末装置４と専用のケーブル１１で接続されていてもよく、ケーブル１１を介し所定の番組を端末装置４に送信する。さらにまた、放送局２は、ネットワーク網７と接続されていてもよく、ネットワーク網７を介して所定の番組を端末装置４に送信する。
【００３０】
番組関連情報提供装置３は、ネットワーク網７に接続され、放送局２で放送される番組の属性情報である番組情報、例えば各番組ごとの番組の内容を簡潔にまとめた番組紹介文などと、チャンネル毎に編成された番組の番組情報を表にした番組表とを蓄積したデータベース３ａと、後述する番組記録予約設定スクリプトをユーザごとに設定されたアカウントに蓄積するデータベース３ｂとを備えている。
【００３１】
番組関連情報提供装置３の図示しない記憶部は、端末装置４が備えるＷｅｂブラウザを介してデータベースに蓄積した番組情報及び番組表をインターネット上で提供するためのＷｅｂサーバプログラムを格納している。
【００３２】
また、番組関連情報提供装置３は、放送局２で所定の時間に放送される番組を記録媒体に自動的に記録させる（以下、記録予約モードと呼ぶ。）ように端末装置４の記録部又は記録装置５を制御するための番組情報に基づいた制御命令である番組記録予約設定スクリプトをユーザの要求に応じて生成し、ネットワーク網７を介して端末装置４へ送信する。
【００３３】
また、番組関連情報提供装置３が番組の記録予約設定をする際に生成する番組記録予約設定スクリプトは、端末装置４でリアルタイムにユーザが番組を視聴する際（以下、オンエア・モードと呼ぶ。）にも番組と後述する番組関連情報とをリンクさせるために生成されネットワーク網７を介して端末装置４へ送信される。オンエア・モードで生成されるスクリプトは番組関連情報スクリプトと呼ぶ。
【００３４】
端末装置４は、例えばＰＣ（Personal Computer）であり、地上波を受信するチューナ、ＢＳ（Broadcasting Satellite）チューナ、ＣＳ（Communications Satellite）チューナを内蔵している。各チューナは、所定の周波数の電波で搬送される変調された番組を受信し、VIDEO信号及びAUDIO信号からなる番組へと復調する。また、端末装置４は、放送局２と専用のケーブル１１で接続されていてもよく、ケーブル１１を介し放送局４から送信される所定の番組を受信する。さらにまた、端末装置４は、ネットワーク網７を介し放送局２と接続されており、放送局２から送信される番組をネットワーク網７を介して受信する。
【００３５】
端末装置４は、備え付けの記録媒体又は記録媒体を装着して記録媒体に番組を記録する記録部を有している。記録媒体は磁気テープ、磁気ディスク、光磁気ディスク、光ディスクなどである。端末装置４は、番組関連情報提供装置３から送信された番組記録予約設定スクリプトを受信する。端末装置４の制御部は、受信した番組記録予約スクリプトを記録部に適した記録予約制御信号に変換し、変換した記録予約制御信号に応じて記録部を制御して記録媒体へ番組を記録させる。また、端末装置４は、番組記録予約設定スクリプトで指定されている記録装置５へ番組記録予約設定スクリプトを送信する際、番組記録予約設定スクリプトを各記録装置５に応じた制御信号に変換してから送信する。例えば、ＩＲ（Infra Red）制御信号、ＬＡＮ（Local Area Network）制御信号、ｉＬＩＮＫ（登録商標）制御信号などに変換してから番組記録予約設定スクリプトを送信する。
【００３６】
端末装置４は、記録媒体に記録した番組を再生するための再生部を有し、再生部で再生した番組を所定の番組を表示させる番組表示ブラウザを用いて端末装置４に備えられた表示部４ａに表示させる。これによりユーザは記録した番組をユーザの所望する任意の時間に視聴することが可能となる。端末装置４は、記録媒体に記録された番組を再生し表示部４ａに表示させるだけではなく、放送局２から送信された番組を番組表示ブラウザに直接表示させることができる。
【００３７】
また、端末装置４は、番組表示ブラウザに表示される番組と関連した番組関連情報のネットワーク網７上での所在を示す番組関連情報ＵＲＬを表示させるＵＲＬ表示ブラウザと、上記番組関連情報ＵＲＬが示す所在地にある番組関連情報を番組関連情報ＵＲＬへのアクセスに応じてネットワーク網７上を検索し表示部４ａに表示させる番組関連情報表示ブラウザとを、図示しない記憶部に格納している。この番組関連情報の所在を示す番組関連情報ＵＲＬは、後で詳細に説明するように番組関連情報提供装置３から送信される番組記録予約設定スクリプトに基づいてユーザが番組を視聴している際の適切な時間帯にＵＲＬ表示ブラウザに表示される。
【００３８】
また、端末装置４は、番組関連情報提供装置３のデータベース３ｂに端末装置４のアカウントごとに蓄積された番組記録予約設定スクリプトを取得する番組記録予約設定スクリプトピックアップソフトウェアを図示しない記憶部に格納している。この番組記録予約設定スクリプトピックアップソフトウェアは、端末装置４と番組関連情報提供装置３との間にセッションが確立することで起動し、データベース３ｂの該当するユーザのアカウントに蓄積された番組記録予約設定スクリプトを検索しダウンロードする。
【００３９】
なお、端末装置４は、携帯型のＰＣなどであってもよく、ネットワーク網７への接続機能と、番組を受信する機能を備えた、例えばＰＤＡなどの、携帯情報端末装置であってもよい。
【００４０】
記録装置５は、地上波を受信するチューナ、ＢＳチューナ、ＣＳチューナを内蔵している。各チューナは、所定の周波数の電波で搬送される変調された番組を受信し、VIDEO信号及びAUDIO信号からなる番組へと復調する。記録装置５は、備え付けの記録媒体又は記録媒体を装着して記録媒体に番組を記録する記録部を有している。記録媒体は磁気テープ、磁気ディスク、光磁気ディスク、光ディスクなどである。記録装置５は、端末装置４から送信された番組記録予約設定スクリプトに基づいた記録予約制御信号を受信する。記録装置５は、端末装置４から送信された記録予約制御信号を受信し、記録予約制御信号に応じて記録媒体へ番組を記録させる。記録装置５は、例えば、図１に示すようにＤＶ（Digital Video）である記録装置５ａ、ＶＴＲ（Video Tape Recorder）である記録装置５ｂ、ＤＶＤ（Digital Video Disk）である記録装置５ｃというように複数の記録装置を備えていてもよい。
【００４１】
番組関連情報提供サーバ６は、ネットワーク網５上に複数あり、放送局２から送信される番組に関連した番組関連情報をそれぞれ複数蓄積している。各番組関連情報提供サーバ６は、ＵＲＬ表示ブラウザに表示されたＵＲＬに対する端末装置４からの指定に応じて番組関連情報を提供する。
【００４２】
番組関連情報とは、例えば、放送局２から送信される番組がドラマである場合、出演者の身につけている衣服や時計といった小道具類や劇中のロケーションの情報などであり、旅行番組の場合、番組中で紹介された旅館やホテルの情報、旅行のプランの詳細の情報、旅行を提供する旅行会社の問い合わせ先など番組で紹介しきれなかった情報や付加的な情報などであり、料理番組の場合、番組中で紹介された料理の詳細なレシピなどである。番組関連情報は、番組に少しでも関連した情報であればどのような情報であってもよく、上述の例として示した情報に限定されるものではない。
【００４３】
ネットワーク網７は、放送局２、番組関連情報提供装置３、端末装置４、番組関連情報提供サーバ６を接続し、接続されたもの同士で情報の送受信をする。
【００４４】
ここで、図２に示す図を用いて、番組関連情報提供装置３で記録予約モードの際に生成される番組記録予約設定スクリプトについて説明をする。
【００４５】
番組記録予約設定スクリプトは、記録予約するための番組の情報を記載した番組情報記載領域２０ａと、番組関連情報の所在を示したＵＲＬリストと番組とのリンクさせるための情報を記載したＵＲＬリスト記載領域２０ｂとを備えている。
【００４６】
番組記録予約設定スクリプトの番組情報記載領域２０ａには、番組を放送する放送局２を示す”station”と、番組が放送される年、月、日をそれぞれ示す”year”，”month”，”dateと、番組の放送が開始される時刻を示す”start”と、番組の放送が終了する時刻を示す”end”と、番組のタイトルを示す”program-title”とが記載されている。例えば、番組を放送する放送局２が”○×放送”の場合”station:○×放送”となり、番組を放送する年月日が”２０００年１０月１０日”の場合”year:2000”、”month:10”、”date:10”となり、番組の放送される時刻が”午前８時３０分”の場合”start:08:30”となり、番組の放送が終了する時刻が”午後９時００分”の場合”end:09:00”となり、番組のタイトルが”○△連続ドラマ”の場合”program-title:○△連続ドラマ”というように示される。
【００４７】
また、上記の番組に出演する代表的な出演者を、例えば、”○本△馬”、”△市×○太”、”×奥○之助”のように”program-title”の後に示してもよい。
【００４８】
さらに、この番組記録予約設定スクリプトはＵＲＬリスト記載領域２０ｂに示すように、上記番組に関連した番組関連情報をネットワーク網７を介して端末装置４で取得できるようにするための所定のＵＲＬリストを備えている。
【００４９】
番組に関連した番組関連情報のネットワーク網７上の所在地を示すＵＲＬは、、図２に示した番組記録予約設定スクリプトに添付される所定のタグによって定義されたＵＲＬリストによって、ユーザが番組視聴中の適切な箇所（適切な時間帯）で端末装置４の表示部４ａにＵＲＬ表示ブラウザを介して表示される。
【００５０】
番組記録予約設定スクリプトに添付される所定のタグによって定義されたＵＲＬリスト記載領域２０ｂについて説明をする。
【００５１】
タグ”<body>”は、このタグ以下にＵＲＬリスト記載領域２０ｂが定義されることを示している。タグ”<body>”は、後述するタグ”</body>”と対をなしており、タグ”</body>”によってＵＲＬリスト記載領域２０ｂの定義が終了する。
【００５２】
タグ”<wait time>”は、最初のＵＲＬリストがＵＲＬ表示ウインドウに表示されるまでの待ち時間を規定するタグである。例えば、”<wait time 00:00:01:00>”である場合、番組開始時刻から１分後に最初のＵＲＬが表示されることを示している。
【００５３】
タグ”<group>”は、タグ”</group>”と対をなして、同時刻にＵＲＬ表示ウインドウに表示させるＵＲＬをグループ化させている。タグ”<group>”でグループ化が開始され、タグ”</group>”でグループ化が終了する。
【００５４】
また、タグ”<start 〜  length〜>”は、個々の番組関連情報を定義するタグであり、このタグの直後に番組関連情報の所在を示すＵＲＬを記載し、”start”の直後に番組関連情報をＵＲＬ表示ウインドウに表示させる番組開始からの相対的な表示開始時間を記載し、”length”の直後に番組関連情報の所在を示すＵＲＬをＵＲＬウインドウに表示し続ける時間を記載する。例えば、タグ”<start〜  length〜>”は、”<start 00:00:01:00 length 00:00:01:00>http://www. ○×.or.jp/pr/bangumi/asadra/asadra1.htm”のように用いられる。このタグで示したＵＲＬは、番組開始時間から１分経過した後ＵＲＬ表示ブラウザに表示され、１分間表示され続けることを示す。
【００５５】
また、同じ時間帯にＵＲＬ表示ブラウザに表示させるＵＲＬが複数ある場合は、上述したタグ”<group>”、タグ”</group>”を用いて、以下に示すようにすることで、同時間帯での複数のＵＲＬの表示が可能となる。
【００５６】
<group>
<start 00:00:01:00 length 00:00:01:00>http://www. ○×.or.jp/pr/bangumi/asadra/asadra1.htm
<start 00:00:01:00 length 00:00:01:00>http://www. ○×.or.jp/pr/bangumi/asadra/asadra2.htm
</group>
【００５７】
続いて、タグ”<start 00:00:02:00 length 00:00:10:00>http://www. ○×.or.jp/pr/bangumi/asadra/asadra3.htm”は、番組開始時刻から２分後にＵＲＬ”http://www. ○×.or.jp/pr/bangumi/asadra/asadra3.htm”がＵＲＬ表示ブラウザに１０分間表示されることを示し、タグ”<start 00:00:12:00 length 00:00:05:00>http://www. ○×.or.jp/pr/bangumi/asadra/asadra4.htm”は、番組開始時刻から１２分後にＵＲＬ”http://www. ○×.or.jp/pr/bangumi/asadra/asadra4.htm”がＵＲＬ表示ブラウザに５分間表示されることを示し、タグ”<start 00:00:17:00 length 00:00:05:00>http://www. ○×.or.jp/pr/bangumi/asadra/asadra5.htm”は、番組開始時刻から１７分後にＵＲＬ”http://www. ○×.or.jp/pr/bangumi/asadra/asadra5.htm”がＵＲＬ表示ブラウザに５分間表示されることを示し、タグ”<start 00:00:22:00 length 00:00:05:00>http://www. ○×.or.jp/pr/bangumi/asadra/asadra6.htm”は、番組開始時刻から２２分後にＵＲＬ”http://www. ○×.or.jp/pr/bangumi/asadra/asadra6.htm”がＵＲＬ表示ブラウザに５分間表示されることを示している。
【００５８】
ユーザは、端末装置４の表示部４ａに表示されたＵＲＬをチェックすることで所望の番組の関連情報を参照することが可能となる。
【００５９】
なお、オンエア・モードで生成される番組関連情報スクリプトは、上述した番組記録予約設定スクリプトと同じ構成となるが、番組情報記載領域２０ａは、番組記録予約設定スクリプトを生成するために用いられず番組情報として扱われる。
【００６０】
続いて、図３に示すフローチャートを用い番組関連情報提供システム１の記録予約モードで番組を記録媒体４に記録し、記録した番組を再生し番組関連情報を取得する動作について説明をする。
【００６１】
ステップＳ１において、ユーザは、端末装置４の図示しない入力部からユーザが所望する所定の番組の記録予約設定を行う。
【００６２】
ユーザは、番組の記録予約設定を行いたい場合は、例えば、番組関連情報提供装置３へネットワーク網７を介してアクセスし、放送局２が放送している全番組をチャンネル毎に編成した番組表をデータベース３ａからダウンロードする。さらに、ユーザは、ダウンロードした番組表を参照しながら、記録予約を希望する所望の番組を選択し、上述した番組記録予約設定スクリプトを生成させるための指示を与える。例えばこの番組記録予約設定スクリプトは、図２に示したようなスクリプトであり、番組の記録予約をするための制御命令となるスクリプトが記載された番組情報記載領域２０ａと、タグによって規定された番組の関連情報を提供する制御命令として用いられるスクリプトが記載されたＵＲＬリスト記載領域２０ｂとを備えている。
【００６３】
端末装置４にダウンロードされた番組表の各番組欄には、ユーザのチェックに応じて番組記録予約設定用のスクリプトが生成されるようにした”予約”ボタンが設けられていて、この”予約”ボタンをチェックするとその旨が番組関連情報提供装置３へネットワーク網７を介して伝わり、それに応じて番組関連情報提供装置３は、所定の番組を記録予約するための番組記録予約設定スクリプトを生成する。
【００６４】
ステップＳ２において、番組関連情報提供装置３は、端末装置４からの要求に応じて生成した番組記録予約設定スクリプトを、端末装置４にネットワーク網７を介して送信する。
【００６５】
ステップＳ３において、端末装置４の図示しない制御部は、番組関連情報提供装置３から送信された番組記録予約設定スクリプトを、端末装置４の図示しない記憶部に格納された番組記録予約設定スクリプトに応じて番組の記録予約を制御する記録予約制御ソフトウェアに渡す。
【００６６】
ステップＳ４において、記録予約制御ソフトウェアは、渡された番組記録予約設定スクリプトの番組情報記載領域２０ａに記載された番組情報に基づいて、番組が記録媒体へ記録されるように、チャンネルの設定を行い、端末装置４が備える図示しない記録部又は記録装置５を所定の時間に動作させるための制御信号を生成する。端末装置４の制御部は生成された制御信号に応じて記録部又は記録装置５を制御して番組記録予約設定スクリプトに記載の番組を記録媒体に記録させる。
【００６７】
このとき、端末装置４の制御部は、番組を記録媒体に記録すると同時に番組記録予約設定スクリプトに添付されたタグ情報で規定されたＵＲＬリスト記載領域２０ｂをＵＲＬリストファイルとして、例えば、番組を記録したファイルと同一のディレクトリなどに格納する。
【００６８】
ステップＳ５において、ユーザは、番組記録予約設定をし、記録媒体に記録させた所定の番組を、ユーザが所望する任意の時間に再生する。端末装置４の図示しない制御部は、ユーザによる再生の指示に応じて図示しない再生部を制御して記録媒体に記録させた番組を再生し、表示部４ａに表示させるための再生処理を行う。
【００６９】
続いて、図４に示すフローチャートを用いて、図３のステップＳ５の再生処理について詳細に説明をする。
【００７０】
ステップＳ１１において、ユーザは、端末装置４の図示しない操作入力部から記録媒体４に記録した番組の再生要求を入力する。
【００７１】
ステップＳ１２において、端末装置４の図示しない制御部は、操作入力部から入力された再生要求に応じて、記録媒体４の同一ディレクトリに記録されている番組ファイルと、ＵＲＬリストファイルとを取り出し、端末装置４の図示しない再生部に送る。
【００７２】
ステップＳ１３において、再生部に番組ファイルと、ＵＲＬリストファイルが送られると、制御部は番組表示ブラウザと、ＵＲＬ表示ブラウザを起動させる。さらに、端末装置４の図示しない制御部は、ＵＲＬリストファイルの、各ＵＲＬと、”start”として示された時間（以下、ＳＴと呼ぶ。）と、”length”として示された時間（以下、ＬＴと呼ぶ。）を図示しない記憶部内の所定の領域のキューにＵＲＬ毎に順番に格納する。
【００７３】
ステップＳ１４において、端末装置４の図示しない再生部は、図示しない制御部の制御によって番組ファイルの再生をする。また、端末装置４の制御部は、再生部による番組フィルの再生動作を制御すると同時に内蔵されたタイマーをスタートさせ、番組の再生時間Ｔと、ＵＲＬをＵＲＬ表示ブラウザに表示させる時間及びＵＲＬ表示ブラウザの表示を終了させる時間の管理をする。
【００７４】
ステップＳ１５において、端末装置４の制御部は、キューに格納したＵＲＬのＳＴが、番組ファイルの再生時間Ｔと一致するかどうかの判断をする。番組ファイルの再生時間Ｔと、ＵＲＬをＵＲＬ表示ブラウザに表示させる開始時間であるＳＴとが一致する場合、工程はステップＳ１６へと進み、一致しない場合、ＴがＳＴと一致するまで状態を保持する。なお、このステップＳ１５の動作は、キューに格納されたＵＲＬが全てなくなるまで続けられる。
【００７５】
ステップＳ１６において、端末装置４の制御部は、ＴとＳＴとが一致したことに応じて、ＵＲＬ表示開始時間ＳＴを有するＵＲＬをＵＲＬ表示ブラウザに渡す。
ＵＲＬ表示ブラウザは、制御部によって渡されたＵＲＬを表示させる。
【００７６】
ＵＲＬ表示ブラウザに表示されたＵＲＬは、ネットワーク網７上の番組関連情報提供サーバ６に蓄積された番組関連情報とリンクしており、例えば、ユーザによるマウス操作などにより当該ＵＲＬをチェックすることで番組情報表示ブラウザに番組関連情報が表示される。
【００７７】
ステップＳ１７において、端末装置４の制御部は、ユーザによってＵＲＬにアクセスされたかどうかの判断をする。ＵＲＬへのアクセスがあった場合は工程をステップＳ１８へと進め、アクセスがない場合は工程をステップＳ１９へと進める。
【００７８】
ステップＳ１８において、端末装置４はユーザのアクセスに応じてネットワーク網７上の当該ＵＲＬにある番組関連情報をダウンロードし、番組関連情報ブラウザに表示させる。
【００７９】
ステップＳ１９において、端末装置４の制御部は、キューに格納されたＵＲＬのＵＲＬ表示開始時間ＳＴとＵＲＬ表示時間を示すＬＴの和が、番組ファイルの再生時間Ｔと一致するかどうかの判断をする。表示開始時間ＳＴとＵＲＬ表示時間ＬＴの和は、ＵＲＬ表示終了時間を表しており、番組ファイル再生時間Ｔと、表示開始時間ＳＴとＵＲＬ表示時間ＬＴの和が一致していれば当該ＵＲＬの表示時間は終了することになる。番組ファイル再生時間Ｔと、表示開始時間ＳＴとＵＲＬ表示時間ＬＴの和が一致する場合は工程をステップＳ２０へと進め、一致しない場合は工程をステップＳ１６へと戻す。
【００８０】
ステップＳ２０において、端末装置４の制御部は、ＵＲＬ表示ブラウザに表示され、表示時間を満たしたＵＲＬの表示を終了させる。
【００８１】
ステップＳ２１において、端末装置４の制御部は、番組ファイルの再生時間が終了したことに応じて、再生部を制御して再生動作を終了させ、番組表示ブラウザを閉じる。
【００８２】
このようにして、番組関連情報提供システム１では、番組記録予約設定スクリプトに応じて記録媒体４に記録された番組を再生する際に、再生する番組に関連した番組の番組関連情報の所在を示すＵＲＬをＵＲＬリストに沿って表示させることができる。
【００８３】
続いて、図５に示すフローチャートを用い番組関連情報提供システム１のオンエア・モードにおいて端末装置４が番組関連情報を表示させる際の動作について説明をする。
【００８４】
ステップＳ３１において、ユーザは、端末装置４の図示しない入力部からユーザが所望する所定の番組の番組選択をする。
【００８５】
ユーザは、番組の選択を行いた場合は、例えば、番組関連情報提供装置３へネットワーク網７を介してアクセスし、放送局２が放送している全番組をチャンネル毎に時系列に配置した番組表をダウンロードする。さらに、ユーザは、ダウンロードした番組表を参照しながら、視聴することを希望する所望の番組を選択し、その旨を伝えるための指示を与える。
【００８６】
端末装置４にダウンロードされた番組表の各番組欄には、ユーザのチェックに応じて放送局２から送信される所望の番組を視聴するようにした”視聴”ボタンが設けられていて、この”視聴”ボタンをチェックすると、ネットワーク網７を介しその旨が番組関連情報提供装置３へと伝わる。これに応じて、番組関連情報提供装置３はユーザによって”視聴”ボタンがチェックされた番組が端末装置４によって受信可能となるように、例えば、有料放送の場合、暗号化されて送信される番組を端末装置４で暗号を解読できるようにして受信の許可を与える。
【００８７】
ステップＳ３２において、番組関連情報提供装置３は、放送局２から送信される番組に関連した情報である番組関連情報のネットワーク網７上の所在を示すＵＲＬのリストを記載した番組関連情報スクリプトを生成し、ネットワーク網７を介して端末装置４に送信する。例えばこの番組関連情報スクリプトは、図２に示したようなスクリプトであり、番組の情報を記載した番組情報記載領域２０ａと、タグによって規定された番組の関連情報を提供する制御命令として用いられるスクリプトが記載されたＵＲＬリスト記載領域２０ｂとを備えている。
【００８８】
ステップＳ３３において、端末装置４は、ネットワーク網７を介し送信された番組関連情報スクリプトを受信する。端末装置４の図示しない制御部は、スクリプトのＵＲＬリスト記載領域２０ｂに記載されているＵＲＬの表示開始時刻を示したＳＴと番組がスタートした時刻ＰＴとを加算してＵＲＬの表示を開始する時刻（以下、ＵＳＴと呼ぶ。）を算出し、さらに、算出されたＵＳＴにＵＲＬを表示させる時間を加算してＵＲＬの表示を終了する時刻（以下、ＵＥＴと呼ぶ。）を算出する時間変換処理を行う。この時間変換処理は、スクリプトに記載されたＵＲＬ全てに対して実行され、実際の時刻ＲＴに対応したＵＲＬの表示開始時刻ＵＳＴと、表示終了時刻ＵＥＴとが求められる。
【００８９】
端末装置４の制御部はＵＳＴ及びＵＥＴを算出した後、ＵＳＴ及びＵＥＴと供にＵＲＬリストを端末装置４の図示しない再生部に送出し、同時にＵＲＬを表示させるめのＵＲＬ表示ブラウザを起動し端末装置４の表示部４ａに表示させる。また、端末装置４の制御部は、再生部に送出されたＵＲＬリストと、時間変換されたＵＳＴ及びＵＥＴを図示しない記憶部内の所定の領域のキューに格納する。
【００９０】
ステップＳ３４において、端末装置４の制御部は、キューに格納されているＵＲＬを一つ取り出し当該ＵＲＬのＵＳＴと、実時刻ＲＴとを比較して一致するかどうかの判断をする。ＵＳＴとＲＴが一致している場合は、ＲＴが当該ＵＲＬをＵＲＬ表示ブラウザに表示させるための時刻であることになる。ＵＳＴとＲＴが一致している場合はステップ３５へと工程を進め、一致していない場合はステップＳ３４へと工程を戻す。なお、このステップＳ３４の動作は、キューに格納されたＵＲＬが全てなくなるまで続けられる。
ステップＳ３５において、端末装置４の制御部は、実時刻ＲＴとＵＳＴとが一致したことに応じて、ＵＲＬ表示開始時刻ＵＳＴを有するＵＲＬをＵＲＬ表示ブラウザに渡す。ＵＲＬ表示ブラウザは、制御部によって渡されたＵＲＬを表示させる。
【００９１】
ＵＲＬ表示ブラウザに表示されたＵＲＬは、ネットワーク網７上の番組関連情報提供サーバ６に蓄積された番組関連情報とリンクしており、例えば、ユーザによるマウス操作などにより当該ＵＲＬをチェックすることで番組情報表示ブラウザに番組関連情報が表示される。
【００９２】
ステップＳ３６において、端末装置４の制御部は、ユーザによってＵＲＬにアクセスされたかどうかの判断をする。ＵＲＬへのアクセスがあった場合は工程をステップＳ３７へと進め、アクセスがない場合は工程をステップＳ３８へと進める。
【００９３】
ステップＳ３７において、端末装置４はユーザのアクセスに応じてネットワーク網７上の当該ＵＲＬにある番組関連情報をダウンロードし、番組関連情報ブラウザに表示させる。
【００９４】
ステップＳ３８において、端末装置４の制御部は、キューに格納されたＵＲＬのＵＲＬ表示終了時刻ＵＥＴと、実時刻ＲＴと一致するかどうかの判断をする。実時刻ＲＴと、ステップＳ３３の時間変化処理で算出したＵＲＬ表示終了時刻ＵＥＴとが一致していれば当該ＵＲＬの表示時間は終了することになる。実時刻ＲＴと、表示終了時間ＵＥＴとが一致する場合は工程をステップＳ３９へと進め、一致しない場合は工程をステップＳ３５へと戻す。
【００９５】
ステップＳ３９において、端末装置４の制御部は、ＵＲＬ表示ブラウザに表示され、表示時間を満たしたＵＲＬの表示を終了させる。
【００９６】
ステップＳ４０において、端末装置４の制御部は、放送局２から送信される番組の放送が終了したことに応じて番組表示ブラウザを閉じる。
【００９７】
このようにして、端末装置４は、放送局２から送信される番組の番組関連情報のネットワーク網７上の所在を示したＵＲＬをスクリプトととして番組関連情報提供装置３から受信し、スクリプトに記載されたＵＲＬ表示開始時間とＵＲＬ表示時間とを時間変換してＵＲＬ表示開始時刻とＵＲＬ表示終了時刻を算出し、この時刻に基づいてＵＲＬ表示ブラウザにＵＲＬを表示させることで、番組放送中に番組に関連した番組関連情報を取得することができる。
【００９８】
さらに、本発明は、図５に示すフローチャートを用いて説明したようにリアルタイムで番組関連情報を提供できるようにすることで、特定の放送時間を規定せずにユーザが所望する時刻に所望する番組を視聴可能とするＶＯＤ（Video On Demand）システムでも適用することができる。ＶＯＤシステムにおいて、ユーザが所望する番組を選択し、上記のステップＳ２１〜ステップＳ３０の工程を実行することで、ユーザはネットワーク網７上の番組関連情報を記載したＵＲＬ情報をリアルタイムで取得できるため番組視聴時に所望の番組関連情報を取得することができる。
【００９９】
上述したように番組関連情報提供システム１は、記録予約モードの際に、端末装置４からの指示に応じて、番組関連情報提供装置３が番組記録予約設定スクリプトを生成し、ネットワーク網７を介し当該端末装置４へ送信され記録予約設定がなされるが、図６に示すように番組関連情報提供システム１のネットワーク網７に接続した携帯端末装置８ａ，８ｂ，８ｃからの指示に応じて、番組関連情報提供装置３が番組記録予約設定スクリプトを生成し、ネットワーク網７を介し当該端末装置４へ送信され記録予約設定がなされてもよい。
【０１００】
具体的には、 携帯端末装置８ａ，８ｂ，８ｃは、例えば、文字情報又は画像情報を表示するための、例えば、ＬＣＤ（Liquid Crystal Display）などである表示部１８ａ，１８ｂ，１８ｃをそれぞれ備えた携帯電話又は携帯型ＰＣ（Personal Computer）又はＰＤＡ（Personal Digital Assistants）である。
【０１０１】
携帯端末装置８ａは、番組関連情報提供装置３がインターネット上で提供しているテレビ番組の番組紹介をするための番組情報を取得するためのＷｅｂブラウザを図示しない記憶部に格納している。携帯端末装置８ａの図示しない制御部は、記憶部に格納されたＷｅｂブラウザを用いてインターネット上で後述する番組関連情報提供装置３のデータベース３ａを検索して番組情報を取得し、取得した番組情報を表示部１８ａへ表示する。
【０１０２】
携帯端末装置８ｂは、番組関連情報提供装置３から送信される電子メールを受信し、受信した電子メールを表示部１８ｂへ表示するメーラーソフトウェア（以下メーラーと呼ぶ。）を図示しない記憶部に格納している。また、携帯端末装置８ｂは、メーラーの補助ソフトウェアとしてＷｅｂブラウザを図示しない記憶部に格納している。このＷｅｂブラウザは、後述する電子メールに添付されたＵＲＬ（Uniform Resource Location）をチェックすると起動し番組情報を表示部１８ｂに表示する。
【０１０３】
携帯端末装置８ｃは、電子メールを受信するメーラーソフトウェア（以下メーラーと呼ぶ。）を図示しない記憶部に格納しており、番組関連情報提供装置３から送信される電子メールを受信し、受信した電子メールを表示部１８ｃへ表示する。
【０１０４】
また、図６に示すように番組関連情報提供システム１が構成される場合、番組関連情報提供装置３は以下に示す機能を備える。
【０１０５】
番組関連情報提供装置３の記憶部は、データベース３ａに蓄積された番組情報の中から番組紹介文を取得し、電子メールに添付して定期的に携帯端末装置８ｂ、８ｃに送信するためのメールサーバプログラムを格納している。携帯端末装置８ｂ、８ｃに送信する電子メールの送信時刻は、ユーザによって設定可能であり、例えば３時間おきに送信したり、毎日６時に定期的に送信したりすることができる。番組関連情報提供装置３から送信される電子メールには、番組紹介文ごとに、その番組を特定するための情報と電子メールの受信者であるユーザを特定するための情報を含んだＵＲＬが添付されている。このＵＲＬは、番組関連情報提供装置３のデータベース３ａに蓄積されている各番組情報とリンクされている。
【０１０６】
図７、図８に示すフローチャートを用い番組記録予約システム１において、携帯端末装置８ａがインターネットを介して直接、番組関連情報提供装置３へアクセスするダイレクトアクセスモードでの番組記録予約設定の動作について説明する。
【０１０７】
なお、ダイレクトアクセスモードおいて、ユーザは番組関連情報提供装置３との番組の記録予約サービスを開始する前に利用者登録を行っておく。例えばユーザのLoginName、Password、メールアドレス、住所、電話番号（携帯端末装置８及び端末装置４）、番組を記録するための端末装置４の記録部及び記録装置５、課金サービスを行うために必要なカード番号などの情報、ユーザの名前、年齢、性別、職業などのプロフィールを事前に登録しておく。また、端末装置４の記録部及び記録装置５は、複数の端末装置４の記録部、記録装置５を番組を記録する記録装置として登録することが可能である。複数の端末装置４の記録部及び記録装置５を記録装置として登録する際は、主に利用する端末装置４の記録部又は記録装置５のいずれか一つをデフォルトデバイスとして登録する。
【０１０８】
ステップＳ１０１において、携帯端末装置８ａの図示しない制御部は、ユーザの入力に応じて図示しない記憶部に格納されているＷｅｂブラウザを用いて番組関連情報提供装置３へインターネットを介してアクセスする。これに応じて番組関連情報提供装置３は、携帯端末装置８のＷｅｂブラウザを介して、ユーザのLoginNameとPasswordの入力を要求する。
【０１０９】
ステップＳ１０２において、ユーザが携帯端末装置８ａのＷｅｂブラウザから入力するLoginNameとPasswordに応じて、番組関連情報提供装置３は、携帯端末装置８ａと番組関連情報提供装置３との間にデータを送受信するためのセッションを確立するかどうかの判断をする。LoginNameとPasswordが正しければセッションを確立しステップＳ１０３へと工程を進め、正しくなければステップを終了する。
【０１１０】
また、LoginNameとPasswordの入力は、番組記録予約システム１のサービスを１度受けた後、例えば、ユーザＩＤ（identification）を登録することで２度目の利用からは省略することができる。
【０１１１】
ステップＳ１０３において、携帯端末装置８ａの図示しない制御部は、Ｗｅｂブラウザを用いて、データベース３ａから番組の番組情報がチャンネル毎に配置された番組表をダウンロードする。携帯端末装置８ａはダウンロードした番組表を表示部１２ａに表示させる。図９に表示部１２ａに表示される番組表の一例を示す。図９の番組表は、１０の放送局にそれぞれ割り当てられたＣＨ１〜ＣＨ１０の１０個のチャンネルで構成され、２０時〜２２時までの３時間の番組情報を示している。各番組の番組情報欄には、例えば、ＣＨ１が割り当てられた”◎◎◎総合”という放送局の２０時〜２１時の時間帯には、”××プロレス”というように番組の番組名が配置されている。なお、各番組情報欄に添付されている”予約”と書かれたボタンについては後で詳細に説明をする。
【０１１２】
ステップＳ１０４において、番組表に示された番組の番組記録予約設定をするかどうかを携帯端末装置８ａを介してユーザの入力により判断する。番組記録予約設定をする場合はステップＳ１０５へと進み、番組記録予約設定をしない場合はステップを終了する。例えば、図９に示す番組表が携帯端末装置８ａの表示部１２ａに提示され番組記録予約設定をする場合は、番組表の各番組欄に付加された”予約”ボタンをチェックすることで、番組記録予約設定するための番組記録予約設定モードとなる。
【０１１３】
ステップＳ１０５において、携帯端末装置８ａの図示しない制御部は、ステップＳ４でのユーザによる入力に応じて番組記録予約設定を行ったことを確認するための画面をＷｅｂブラウザを用いて表示させる。例えば、ステップＳ１０４においてユーザが表示部１２ａに表示された番組表の”予約”ボタンをチェックしたとすると、携帯端末装置８ａの制御部は、図１０に示すような番組記録予約設定を確認するための番組記録予約設定確認画面を表示部１８ａにＷｅｂブラウザを用いて表示させる。この番組記録予約設定確認画面には、例えば、番組が放送される放送局名”station”がここでは”○×テレビ”、番組が放送される日付”year”，”month”，”date”がここではそれぞれ”2000”，”09”，”01”、番組の放送開始時間”start”が”21:00”、番組の放送終了時間”end”が”22:00”、番組のタイトル”program-title”が”世界○○サッカー”、番組のサブタイトル”program-subtitle”が”日本対ドイツ”、番組を放送する地上波、ＣＳ放送、ＢＳ放送といった放送手段を識別する番号”Infra”が”３”、番組を記録するための記録装置５を特定する番号”device id”が”１”というように示されている。また、番組記録予約設定確認画面には、後述のステップＳ６で説明する番組を記録するデバイスを変更するためのボタンである”デバイス変更”と示されたボタンと、ステップＳ１０８で説明する番組記録予約設定スクリプトの生成を実行するためのボタンである”予約確認”ボタンが設けられてる。
【０１１４】
ステップＳ１０６において、ステップＳ１０１に入る前にデフォルトデバイスとして設定された端末装置４の記録部又は記録装置５を他に登録した端末装置４の記録部及び記録装置５のいずれかと変更するかどうかをユーザの携帯端末装置８ａからの入力により行う。デフォルトデバイスとして設定された端末装置４の記録部又は記録装置５を変更をする場合はステップＳ１０７へ、変更を行わない場合はステップＳ１０８へ工程を進める。なお、登録された記録装置５が１つである場合は、この工程は省くことができる。例えば、図１０に示す番組記録予約設定確認画面が携帯端末装置８ａの表示部１８ａにＷｅｂブラウザを介して表示された場合、番組記録予約設定確認画面の”デバイス変更”をチェックすると、図１１に示すデバイス変更画面がＷｅｂブラウザを介して携帯端末装置８ａの表示部１２ａに表示される。図１１に示すデバイス変更画面は、端末装置４の記録部又は記録装置５の番組記録予約システム１におけるＩＤ（identification）ナンバーを示す”デバイスＩＤ”と、端末装置４の記録部及び記録装置５のデバイスの種類を示す”デバイスタイプ”と、端末装置４の記録部及び記録装置５の製造メーカ名を示す”メーカー”と、端末装置４の記録部及び記録装置５の型番を示す”モデル”と、デフォルトデバイスとして登録された端末装置４の記録部又は記録装置５を示す”デフォルト”がデバイスごとに示されている。図１１のデバイス変更画面に示すように、番組記録予約システム１で登録されている端末装置４の記録部及び記録装置５は、デバイスＩＤが１のＤＶ（Digital Video） と、デバイスＩＤが２のＶＴＲ（Video Tape Recorder）と、デバイスＩＤが３のＤＶＤ（Digital Video Disc）の３機種である。この３つのデバイスの中で、デバイスＩＤが１の記録装置５がデフォルトデバイスとして登録されている。
【０１１５】
ステップＳ１０７において、携帯端末記録装置８ａからユーザの入力により端末装置４の記録部又は記録装置５の変更をする。端末装置４の記録部又は記録装置５の変更は、例えば、図１１に示すデバイス変更画面の新たにデフォルトデバイスとする端末装置４の記録部又は記録装置５のデフォルト欄をチェックし、”デフォルト機器として登録しますか？”というメッセジーに応じて”はい”ボタンをチェックすることで実行される。”はい”ボタンのチェックが終了するとＷｅｂブラウザの画面は、図１０に示した番組記録予約設定確認画面へと戻る。また、番組を記録する端末装置４の記録部又は記録装置５が設定されると、図１２に示すように番組表の該当する番組欄には設定した端末装置４の記録部又は記録装置５の設定されたデバイスをイメージしたアイコンが表示される。例えば、図１２に斜線部で示すように”世界○○サッカー”の番組欄には、ＤＶをイメージしたアイコンが表示されている。
【０１１６】
ステップＳ１０８において、携帯端末装置８ａからユーザの入力により番組記録予約設定スクリプトを生成するかどうかの判断をする。番組記録予約設定スクリプトを生成する場合はステップＳ１０９へと工程を進め、生成しない場合はステップＳ１０３へと戻る。例えば、ユーザが番組記録予約設定スクリプトを生成したい場合、図５に示す番組記録予約設定確認画面の”予約確認”ボタンをチェックするとその旨が番組関連情報提供装置３の制御部に伝わる。
【０１１７】
ステップＳ１０９において、番組関連情報提供装置３の制御部は、携帯端末装置８ａの入力に応じて番組記録予約設定スクリプトを生成する。また、番組記録予約設定スクリプトが生成されると、番組関連情報提供装置３のデータベース３ｂにユーザごとにその履歴が蓄積される。
【０１１８】
ステップＳ１１０において、番組関連情報提供装置３の制御部は、データベースサーバ３ｂの該当するユーザのアカウントに番組記録予約設定スクリプトを蓄積させる。
【０１１９】
ステップＳ１１１において、番組関連情報提供装置３が端末装置４へアクセスする場合はステップＳ１１２へと、端末装置４から番組関連情報提供装置へアクセスする場合はステップＳ１１３へと工程を進める。
【０１２０】
ステップＳ１１２において、番組関連情報提供装置３の制御部は、端末装置４へアクセスしてデータを送受信するためのセッションを確立する。番組関連情報提供装置３の制御部は、ステップＳ９でデータベース３ｂの該当するユーザのアカウントに番組記録予約設定スクリプトが蓄積されると、その直後に端末装置４にアクセスを行う。ステップＳ１１２が終了すると工程はステップＳ１１４へと進む。
【０１２１】
ステップＳ１１３において、端末装置４の制御部は、番組関連情報提供装置３へアクセスしてデータを送受信するためのセッションを確立する。端末装置４の制御部は、定期的に、例えば、ユーザの設定により１日に何度か番組関連情報提供装置３にアクセスをする。ステップＳ１１３が終了すると工程はステップＳ１１４へと進む。
【０１２２】
ステップＳ１１４において、番組関連情報提供装置３と端末装置４との間にセッションが確立されたら、番組記録予約設定スクリプトを取得するためのソフトウェアである端末装置４の記録部に格納された番組記録予約設定スクリプトピックアップソフトウェアが起動する。
【０１２３】
起動した番組記録予約設定スクリプトピックアップソフトウェアは、番組関連情報提供装置３のデータベース３ｂに蓄積されている番組記録予約設定スクリプトをダウンロードするために番組関連情報提供装置３へアクセスする。番号情報提供装置３の制御部は、アクセスしてきた番組記録予約設定スクリプトピックアップソフトウェアが、正規ユーザの番組記録予約設定スクリプトピックアップソフトウェアであるかどうかの認証をするための認証作業を行う。番組記録予約設定スクリプトピックアップソフトウェアの認証作業は、ユーザＩＤ又はユーザのLoginＩＤとPasswordを用いて行う。
【０１２４】
なお、ユーザは、端末装置４へ番組記録予約設定スクリプトピックアップソフトウェアをインストールする際にユーザＩＤ又はユーザのLoginＩＤとPasswordを登録し番組関連情報提供装置３の図示しない記憶部に記憶させておく。
【０１２５】
番組関連情報提供装置３の制御部は、番組記録予約設定スクリプトピックアップソフトウェアのアクセスに応じて、上述の記憶部に記憶された該当するユーザＩＤ又はユーザのLoginＩＤとPassword用いアクセスしてきた番組記録予約設定スクリプトピックアップソフトウェアがデータベース３ｂのアカウントの正規利用者かどうかの判断をする。正規利用者である場合は工程をステップＳ１５へと進め、正規利用者でない場合は工程を終了する。
【０１２６】
ステップＳ１１５において、端末装置４の制御部は、図示しない記憶部に記憶されている番組記録予約設定スクリプトピックアップソフトウェアを用いて番組関連情報提供装置３のデータベース３ｂに蓄積されている番組記録予約設定スクリプトをダウンロードする。また、番組関連情報提供装置３の制御部は、端末装置４の番組記録予約設定スクリプトピックアップソフトウェアによって番組記録予約設定スクリプトがダウンロードされたことに応じて、その旨を伝えるメッセージをＷｅｂブラウザからアクセスすることが可能な番組表アカウントを設定し生成する。
【０１２７】
ステップＳ１１６において、端末装置４の制御部は、記憶部に格納されている番組記録予約設定スクリプトピックアップソフトウェアを用いて番組記録予約設定スクリプトを取得し、番組記録予約設定スクリプトに記述されている番組を記録するデバイスが端末装置４の記録部であるのか、記録装置５であるのかを判断する。デバイスが端末装置４の記録部であった場合、端末装置４の制御部は、番組記録予約設定スクリプトを記録部に適した記録予約制御信号に変換する。デバイスが記録装置５であった場合、端末装置４は番組記録予約設定スクリプトを送信する記録装置５に適した信号に変換してから該当する記録装置５へ送信する。記録装置５は、端末装置４から番組記録予約設定スクリプトに基づいて生成された記録予約制御信号を受信し番組の記録予約設定を行う。
【０１２８】
続いて、図７、図８に示したフローチャートを用いて説明したダイレクトアクセスモードで生成された番組記録予約設定スクリプトに基づいた番組記録予約設定を無効にする動作について説明する。
【０１２９】
１度設定された番組記録予約設定を無効にするには、まず、Ｗｅｂブラウザを用いて携帯端末装置８ａの表示部１８ａに表示された番組表の図示しない”キャンセル”と表示されているボタンをチェックする。”キャンセル”ボタンがチェックされたことに応じて番組提供装置３の制御部は、データベース３ｂに蓄積された各ユーザの番組記録予約履歴の中から該当するユーザのまだ、端末装置４の記録部又は記録装置５での記録が実行されていない番組記録予約履歴を取り出し携帯端末装置８ａの表示部１８ａに表示させる。番組記録予約履歴の一例を図１３に示す。図１３に示すように、番組記録予約履歴は記録予約がなされている各番組が放送されるチャンネルを”チャンネル”として例えば、”ＣＨ１”というように、番組の記録を開始する時間を”記録開始時間”として例えば、２０００年の９月１日２２時３０分なら”2000/09/01 22:30:00”というように、番組の番組名を”タイトル”として、例えば”かわいい天使ケント”というように示される。図１３では、番組記録予約設定をされている番組は、４番組でありそのタイトルのみを示すと”かわいい天使ケント”、”○○ニュース”、”○○サイエンス”、”世界○○サッカー”となる。
【０１３０】
番組記録予約履歴が携帯端末装置８ａの表示部１８ａに表示されると、ユーザは番組記録予約履歴の中から番組記録予約設定を無効にしたい番組を選択し、表示部１８ａに表示された画面上の”削除”ボタンをチェックする。番組関連情報提供装置３の制御部は、携帯端末装置８ａの”削除”ボタンの入力に応じて、選択された番組の番組記録予約設定を無効にするためのキャンセル用スクリプトを生成する。生成されたキャンセル用スクリプトは、番組関連情報提供装置３から端末装置４へ送信され、さらに番組記録予約設定をされていた端末装置４の記録部又は記録装置５に適した信号に変換され端末装置４の記録部又は記録装置５へ送信される。端末装置４の記録部又は記録装置５は送信された信号に応じて番組記録予約設定を無効にする。端末装置４の記録部又は記録装置５の番組記録予約設定が無効になると該当する番組記録予約履歴は削除され、番組関連情報提供装置３のデータベース３ｂの該当するユーザのアカウントにキャンセル履歴として登録される。
【０１３１】
次に、図１４、図７、図８に示すフローチャートを用い番組記録予約システム１において、番組関連情報提供装置３が携帯端末装置８ｂへ定期的にＵＲＬを添付した電子メールを送信し、携帯端末装置８ｂのＷｅｂブラウザを用いて番組記録予約設定を行う第１のメールアクセスモードでの番組記録予約設定の動作について説明する。
【０１３２】
ステップＳ１２１において、番組関連情報提供装置３の制御部は、携帯端末装置８ｂへ番組の番組紹介文と番組紹介文毎にユーザ、番組のチャンネル、番組の放送時間、放送の終了時間を特定できるようなＵＲＬ（Uniform Resource Location）を添付した電子メールをインターネットを介し送信する。図１５に番組関連情報提供装置３から携帯端末装置８ｂに送信される電子メールの一例を示す。番組紹介文は、番組の概要を簡潔にまとめた文であり、図１５の斜線部に示した”番組紹介文”と書かれている欄に記される。なお、具体的な番組紹介文は省略してある。また、この電子メールには”http://www.◎◎.com/MyMail/RecordSet/1234_5_2000090121000020000901220000.html”といったＵＲＬが添付されている。このＵＲＬは、番組関連情報提供装置３のデータベース３ａの該当する番組情報が格納されたディレクトリの所在地を示すと同時にユーザの特定及びこのＵＲＬへアクセスすることで実行される機能を示すことができる。図１５に示したＵＲＬの”RecordSet”はこのＵＲＬが番組記録予約設定をするためのＵＲＬであることを示し、”1234”は番組記録予約システム１を利用しているユーザを特定するためのユーザ識別子を示し、続く”5”は番組のチャンネル番号”20000901210000 ”は番組がスタートする日付と時刻、２０００年９月１日２１時を示し、”20000901220000 ”は番組の終了する日付と時刻、２０００年９月１日２２時をそれぞれ示している。
【０１３３】
ステップＳ１２２において、携帯端末装置８ｂを介してユーザの入力により電子メールに添付されたＵＲＬにアクセスするかどうかの判断をする。ＵＲＬにアクセスする場合はステップＳ１２３へと工程を進め、アクセスしない場合はステップを終了する。例えば、図１５に示すような電子メールが番組関連情報提供装置３から携帯端末装置８ｂへ送信された場合、”http://www.◎◎.com/MyMail/RecordSet/1234_5_2000090121000020000901220000.html”のように示されたＵＲＬをチェックすることでアクセスすることができる。
【０１３４】
ステップＳ１２３において、携帯端末装置８ｂの制御部は、Ｗｅｂブラウザを用いて番組関連情報提供装置３のデータベース３ａに蓄積されている該当する番組の番組情報を検索し番組情報を表示部１２ｂに表示させる。ステップＳ１２３の工程が終了すると図７、図８に示すステップＳ１０４〜ステップＳ１１６の工程へと進む。
【０１３５】
ステップＳ１０４〜ステップＳ１１６の工程は、ダイレクトアクセスモードでの説明と同じである。以上の工程を経ることで、第１のメールアクセスモードでは、番組記録予約スクリプトを生成し、端末装置４又は記録装置５へ番組の記録予約設定をすることができる。
【０１３６】
続いて、図１４、図７、図８に示したフローチャートを用いて説明した第１のメールアクセスモードで生成された番組記録予約設定スクリプトに基づいた番組記録予約設定を無効にする動作について説明する。
【０１３７】
少なくとも１つの番組の番組記録予約設定がなされている場合、図１４に示すステップＳ２１で番組関連情報提供装置３から携帯端末装置８ｂに送信される電子メールには、キャンセル用ＵＲＬが、例えば図１６に示すように”http://www.◎◎.com/myPage/Cancel/1234.html”というように添付されている。このキャンセル用ＵＲＬは、ユーザの特定及びこのＵＲＬへアクセスすることで実行される機能を示すことができる。図１６に示したキャンセル用ＵＲＬの”Cancel”はこのキャンセル用ＵＲＬが既に設定した番組記録予約設定を無効にするために機能することを示し、”1234”は番組記録予約システム１を利用しているユーザを特定するためのユーザ識別子を示している。設定した番組記録予約をキャンセルするには、ユーザが端末装置８ｂを介して電子メールに添付されたキャンセル用ＵＲＬをチェックすることで実行される。キャンセル用ＵＲＬがチェックされると、番組関連情報提供装置３の制御部は、データベース３ｂに蓄積された各ユーザの番組記録予約履歴の中から該当するユーザのまだ、端末装置４の記録部又は記録装置５での記録が実行されていない番組記録予約履歴を取り出し携帯端末装置８ｂへキャンセル用ＵＲＬをわたす。これに応じて携帯端末装置８ｂの制御部はＷｅｂブラウザを起動させ、表示部１２ｂに番組記録予約履歴を表示させる。例えば、携帯端末装置８ｂの制御部は、上述の図１３に示したような番組記録予約設定された番組の履歴をＷｅｂブラウザを用いて、携帯端末装置８ｂの表示部１２ｂに表示させる。ユーザは携帯端末装置８ｂの表示部１２ｂに表示された画面上の番組の履歴画面を参照し、番組記録予約設定をキャンセルしたい番組を選択する。番組記録予約設定のキャンセルを実行するには、番組の選択が終了した後、例えば、図１３に示すような”削除”ボタンを押すことで実行される。以下の第１のメールアクセスモードでの番組記録予約設定のキャンセルの動作は、上述のダイレクトアクセスモードでの番組記録予約設定のキャンセルの動作と同じである。
【０１３８】
次に、図１７、図７、図８に示すフローチャートを用い番組記録予約システム１において、番組関連情報提供装置３が携帯端末装置８ｃへ定期的にＵＲＬを添付した電子メールを送信し、携帯端末装置８ｃから電子メールに添付されたＵＲＬにアクセスし番組記録予約設定を行う第２のメールアクセスモードでの番組記録予約設定の動作について説明する。
【０１３９】
ステップＳ１３１において、番組関連情報提供装置３の制御部は、携帯端末装置８ｃへ番組の番組紹介文と番組紹介文毎にユーザ、番組のチャンネル、番組の放送時間、放送の終了時間を特定できるようなＵＲＬを添付した番組紹介用電子メールをインターネットを介し送信する。なお、図１７に番組関連情報提供装置３から携帯端末装置８ｃに送信される電子メールの一例を示す。番組紹介文は、番組の概要を簡潔にまとめた文であり、図１７の斜線部に示した”番組紹介文”と書かれている欄に記される。なお、具体的な番組紹介文は省略してある。
【０１４０】
また、この番組紹介用電子メールには、例えば”http://www.◎◎.com/MyMail/RecordSet/1234_5_2000090121000020000901220000.rev”といった番組記録予約設定用ＵＲＬが添付されている。この番組記録予約設定用ＵＲＬは、ユーザの特定及びこＵＲＬへアクセスすることで実行される機能を示すことができる。図１８に示した番組記録予約設定用ＵＲＬの”RecordSet”はこのＵＲＬが番組記録予約設定をするためのＵＲＬであることを示し、”1234”は番組記録予約システム１を利用しているユーザを特定するためのユーザ識別子を示し、”5”は番組のチャンネル番号を示し、”20000901210000”は番組がスタートする日付と時刻、２０００年９月１日２１時を示し、”20000901220000”は番組の終了する日付と時刻、２０００年９月１日２２時を示している。
【０１４１】
さらに図１８に示した電子メールには、デフォルト設定されている端末装置４４の記録部又は記録装置５を他の登録されている端末装置４の記録部又は記録装置５に変更するためのモードに入るための記録装置設定モード用ＵＲＬが、例えば”http://www.◎◎.com/MyMail/ChangeDev/1234.rev”のように添付されている。なお、登録された端末装置４の記録部又は記録装置５が１つである場合は、記録装置変更モード用ＵＲＬは番組紹介用電子メールには添付されない。
【０１４２】
ステップＳ１３２において、デフォルデバイスとして設定された端末装置４の記録部又は記録装置５を登録されている端末装置４の記録部又は記録装置５のいずれかと変更をするかどうかの判断をユーザの携帯端末装置８ｃからの入力により行う。端末装置４の記録部又は記録装置５の変更をする場合はステップＳ１３３へ、変更を行わない場合はステップＳ３４へ工程を進める。
【０１４３】
例えば、デフォルト設定されている端末装置４の記録部又は記録装置５を変更する場合は、図１８に示した番組紹介用電子メールに添付されたデフォルトデバイスを変更をするための記録装置変更モード用ＵＲＬ、”http://www.◎◎.com/MyMail/ChangeDev/1234.rev”をチェックすることで記録装置変更モードとなる。記録装置変更モードになると、番組関連情報提供装置３の制御部は、番組記録予約設定をされている番組の履歴である番組記録予約履歴と履歴中の各番組毎に端末装置４の記録部又は記録装置５の変更をするための記録装置選択モード用ＵＲＬが添付された図１９に示すような記録装置変更番組選択用電子メールを携帯端末装置８ｃへ送信する。図１９に示すように記録装置変更番組選択用電子メールは、番組記録予約設定をした番組ごとに記録装置選択モード用ＵＲＬが添付されている。
【０１４４】
図１９に示すように、番組記録予約履歴は番組記録予約がなされている各番組が放送されるチャンネルを”チャンネル”として例えば、”ＣＨ３”というように、番組の記録を開始する時間を”記録開始時間”として例えば、２０００年の９月１日２２時３０分なら”2000/09/01 22:30:00”というように、番組の記録を終了する時間を”記録終了時間”として例えば、２０００年の９月１日２３時なら”2000/09/01 23:00:00”というように、番組の番組名を”タイトル”として、例えば”かわいい天使ケント”というように示される。また各番組毎に、”http://www.◎◎.com/MyMail/DevChange/DevChange_1234_3_2000090122300020000901230000.rev”といったＵＲＬが添付されている。記録装置選択モード用ＵＲＬは、ユーザの特定及びこのＵＲＬへアクセスすることで実行される機能を示すことができる。図１９に示したＵＲＬの”DevChange”はこのＵＲＬが番組記録予約設定をするためのＵＲＬであることを示し、”1234”は番組記録予約システム１を利用しているユーザを特定するためのユーザ識別子を示し、続く”３”は番組のチャンネル番号”20000901223000”は番組がスタートする日付と時刻、２０００年９月１日２２時３０分を示し、”20000901230000”は番組の終了する日付と時刻、２０００年９月１日２３時をそれぞれ示している。
【０１４５】
ステップＳ１３３において、携帯端末記録装置８ｃからユーザの入力により端末装置４の記録部又は記録装置５の変更をする。端末装置４の記録部又は記録装置５の変更は、図１９に示した記録装置変更番組選択用電子メールの番組記録予約設定をした各番組ごとに添付されている記録装置選択モード用ＵＲＬをチェックすることであらかじめユーザ登録したデバイスを選択できる記録装置選択モードとなる。例えば、番組のタイトルが”世界○○サッカー”である記録装置選択モード用ＵＲＬをチェックすると番組関連情報提供装置３の制御部は、あらかじめユーザ登録された各端末装置４及び記録装置５から所望のデバイスを選択して設定するための記録装置設定用ＵＲＬが添付された記録装置選択用電子メールを携帯端末装置８ｃに送信する。
【０１４６】
記録装置選択用電子メールを受信した携帯端末装置８ｃの制御部は、記憶部に格納されているメーラーソフトウェアを用いて表示部１２ｃへ、例えば図２０に示すような記録装置選択用電子メールを表示させる。図２０に示すように記録装置選択用電子メールは、記録装置を変更する番組の番組情報として、”チャンネル”を例えば”ＣＨ５”というように、”記録開始時間”を例えば”2000/09/01 21:00:00”というように、”記録終了時間”を”2000/09/01 22:00:00”というように、”タイトル”を”世界○○サッカー”というように表示し、さらに番組記録予約システム１に登録されている端末装置４の記録部及び記録装置５の全ての記録装置設定用ＵＲＬを表示する。記録装置選択用電子メールに添付された記録装置設定用ＵＲＬは、例えば、図２０に示すDgitalVideoを取り上げると”http://www.◎◎.com/MyMail/DevId/DevId_1234_15_2000090121000020000901220000.rev”というように示されている。図２０に示したDgitalVideoの記録装置設定用ＵＲＬの”1234”は番組記録予約システム１を利用しているユーザを特定するためのユーザ識別子を示し、”15”のうち”1”はデバイスのＩＤを示し、”5”は番組のチャンネル番号を示し、”20000901210000”は番組がスタートする日付と時刻、２０００年９月１日２１時を示し、”20000901220000”は番組の終了する日付と時刻、２０００年９月１日２２時を示している。図２０には、番組記録予約システム１に登録された端末装置４の記録部及び記録装置５として、DgitalVideoの他に、ＶＴＲ、ＤＶＤの計３つが示されており、デバイスＩＤはそれぞれ”2”、”3”となっている。
【０１４７】
携帯端末装置８ｃの表示部１２ｃに記録装置選択用電子メールが表示されるとユーザは携帯端末装置８ｃから所望の記録装置設定用ＵＲＬを選択する。所望の記録装置設定用ＵＲＬが選択され、その旨が番組関連情報提供装置３へ送信されると、番組関連情報提供装置３の制御部は、デフォルトデバイスとして登録されている端末装置４の記録部及び記録装置５を、新たに選択された端末装置４の記録部及び記録装置５とし、番組記録予約設定スクリプトをそのように修正する。
【０１４８】
端末装置４は、番組記録予約設定スクリプトが送信された際、修正された番組記録予約設定スクリプトに応じて、端末装置４の記録部及び記録装置５をデフォルトデバイスとして設定する。ステップＳ１３３が終了すると工程はステップＳ１３４へと進む。
【０１４９】
ステップＳ１３４において、携帯端末装置８ｃを介してユーザの入力により番組紹介用電子メールに添付された番組記録予約設定用ＵＲＬにアクセスするかどうかの判断をする。番組記録予約設定用ＵＲＬにアクセスする場合はステップＳ１３３へと工程を進め、アクセスしない場合はステップを終了する。
【０１５０】
ステップＳ１３５において、番組紹介用電子メールに添付された番組記録予約設定用ＵＲＬのアクセスに応じて番組関連情報提供装置３の制御部は、データベース３ａに蓄積されている番組情報から該当する番組を検索する。ステップＳ１３５の工程が終了すると図７、図８に示すステップＳ１０９〜ステップＳ１１６の工程へと進む。
【０１５１】
ステップＳ１０９〜ステップＳ１１６の工程は、ダイレクトアクセスモードでの説明と同じである。以上の工程を経ることで、第２のメールアクセスモードでは、番組記録予約スクリプトを生成し、端末装置４又は記録装置５へ番組の記録予約設定をすることができる。
【０１５２】
続いて、図１７、図７、図８に示したフローチャートを用いて説明した第１のメールアクセスモードで生成された番組記録予約設定スクリプトに基づいた番組記録予約設定を無効にする動作について説明する。
【０１５３】
少なくとも１つの番組の番組記録予約設定がなされている場合、ステップＳ１３１で番組関連情報提供装置３から携帯端末装置８ｃに送信される電子メールには、キャンセル用ＵＲＬが、例えば図２１に示すように”http://www.◎◎.com/MyMail/Cancel/1234.rev”というように添付されている。このキャンセル用ＵＲＬは、ユーザの特定及びこのＵＲＬへアクセスすることで実行される機能を示すことができる。
【０１５４】
図２１に示したキャンセル用ＵＲＬの”Cancel”はこのキャンセル用ＵＲＬが既に設定した番組記録予約設定を無効にするために機能することを示し、”1234”は番組記録予約システム１を利用しているユーザを特定するためのユーザ識別子を示している。設定した番組記録予約をキャンセルするには、ユーザが端末装置８ｃを介して電子メールに添付されたキャンセル用ＵＲＬをチェックすることで実行される。キャンセル用ＵＲＬがチェックされると、番組関連情報提供装置３の制御部は、データベース３ｂに蓄積された各ユーザの番組記録予約履歴の中から該当するユーザのまだ、端末装置４の記録部又は記録装置５での記録が実行されていない番組記録予約履歴を取り出し、これに基づいて番組記録予約設定キャンセル用ＵＲＬを添付した番組記録予約設定キャンセル用電子メールを生成して携帯端末装置８ｃへ送信する。番組記録予約設定キャンセル用電子メールを送信された携帯端末装置８ｂの制御部は、記憶部に格納されているメーラーソフトウェアを用いて表示部１８ｂに番組記録予約設定キャンセル用電子メールを表示させる。例えば、携帯端末装置８ｃの制御部は、図１７に示すような番組記録予約設定キャンセル用電子メールを表示部１８ｃに表示させる。番組記録予約設定キャンセル用電子メールは、図２２に示すように番組記録予約設定がなされた各番組の番組情報として”チャンネル”を例えば”ＣＨ３”というように、”記録開始時間”を例えば”2000/09/01/22:30:00”というように、”記録終了時間”を”2000/09/01 23:00:00”というように、”タイトル”を”かわいい天使ケント”というように示し、番組記録予約設定キャンセル用ＵＲＬを”http://www.◎◎.com/MyMail/Cancel/cancel_1234_3_2000090122300020000901230000.rev”というように示す。番組記録予約設定キャンセル用ＵＲＬは、ユーザの特定及びこのＵＲＬへアクセスすることで実行される機能を示すことができる。図２２に示した番組記録予約設定キャンセル用ＵＲＬの”Cancel”はこのＵＲＬが番組記録予約設定をキャンセルするためのＵＲＬであることを示し、”1234”は番組記録予約システム１を利用しているユーザを特定するためのユーザ識別子を示し、続く”３”は番組のチャンネル番号”20000901223000”は番組がスタートする日付と時刻、２０００年９月１日２２時３０分を示し、”20000901230000”は番組の終了する日付と時刻、２０００年９月１日２３時をそれぞれ示している。
【０１５５】
続いて、ユーザは携帯端末装置８ｃの表示部１８ｃに表示された画面上の番組記録予約設定がなされている番組の中から、番組記録予約設定をキャンセルしたい番組を決定しチェックすると、その旨が番組関連情報提供装置３へ送信され番組関連情報提供装置３の制御部は選択された番組の番組記録予約設定を無効にするためのキャンセル用スクリプトを生成する。生成されたキャンセル用スクリプトは、番組関連情報提供装置３から端末装置４へ送信され、さらに番組記録予約設定をされていた端末装置４の記録部又は記録装置５に適した信号に変換され端末装置４の記録部又は記録装置５へ送信される。端末装置４の記録部又は記録装置５は送信された信号に応じて番組記録予約設定を無効にする。端末装置４の記録部又は記録装置５の番組記録予約設定が無効になると該当する番組記録予約履歴は削除され、番組関連情報提供装置３のデータベース３ｂの該当するユーザのアカウントにキャンセル履歴として登録される。
【０１５６】
また、番組関連情報提供装置３の制御部は、キャンセル用スクリプトを生成すると同時に、番組記録予約設定のキャンセルを実行したことを伝える実行確認用電子メールを携帯端末装置８ｃへ送信する。携帯端末装置８ｃの制御部は、例えば、図２３に示すようなキャンセル実行確認用電子メールを表示部１８ｃに表示させる。キャンセル実効確認用電子メールは、図２３に示すように、例えば、キャンセルが実効された番組の”チャンネル”、”録画開始時間”、”録画終了時間”、”タイトル”などを示すように記載がなされている。
【０１５７】
このように、番組記録予約システム１では、番組関連情報提供装置３のデータベース３ａに蓄積された番組表を携帯端末装置８ａの表示部１８ａへＷｅｂブラウザを介しユーザに提示し、携帯端末装置から所望の番組の記録予約要求を入力し、記録予約要求に応じて番組関連情報提供装置３が番組記録予約設定スクリプトを生成することで端末装置４の記録部及び記録装置５に対して、番組の記録予約設定をすることができる。
【０１５８】
また、番組記録予約システム１では、番組関連情報提供装置３のデータベース３ａに蓄積された番組情報とデータベース３ａの番組情報とリンクしたＵＲＬとを添付した電子メールを携帯端末装置８ｂ、８ｃへ送信し、ユーザの携帯端末装置８ｂ、８ｃからのＵＲＬへのアクセスに応じて、番組関連情報提供装置３が番組記録予約設定スクリプトを生成することで端末装置４の記録部及び記録装置５に対して、番組の記録予約設定をすることができる。
【０１５９】
ところで、上述のダイレクトアクセスモード、第１のメールアクセスモード、第２のメールアクセスモードでは、番組関連情報提供装置３でＣＧＩ（Common Gateway Inteface ）を用いることでｈｔｔｐベースで情報の送受信を行い、番組記録予約設定を行ってもよい。
【０１６０】
ＣＧＩとは、サーバ・クライアント型のネットワークにおいて、クライアントからの要求に対してＷＷＷ（World Wide Web ）サーバ側の要求に対応するプログラムを起動し、このプログラムで得られた結果をクライアントに返送するインターフェースのことである。また、ＷＷＷサーバで起動されるプログラムのことをＣＧＩスクリプトという。
【０１６１】
上述のダイレクトアクセスモード、第１のメールアクセスモード、第２のメールアクセスモードでの、番組記録予約設定スクリプト又はキャンセル用スクリプトを生成するプログラムがこのＣＧＩスクリプトに相当する。ＣＧＩスクリプトは、番組関連情報提供装置３の図示しない記憶部に格納されており、ダイレクトアクセスモードの場合、番組表からのアクセスでプログラムが起動し、第１のメールアクセスモード及び第２のメールアクセスモードの場合は、携帯端末装置８ｂ又は携帯端末装置８ｃのそれぞれに送信される電子メールに添付されたＵＲＬをチェックすることで起動する。
【０１６２】
ここで携帯端末装置８ｂを使用した第１のメールアクセスモードにおいて、携帯端末装置８ｂに送信される電子メールに添付される、ＣＧＩスクリプトを起動させるためのＵＲＬについて説明する。上述のステップＳ１２１で説明したように、番組関連情報提供装置３は、携帯端末装置８ｂへ番組の番組紹介文と番組紹介文毎に番組のチャンネル、番組の放送時間、番組の終了時間を特定できるようなＵＲＬを添付した電子メールをインターネットを介し送信する。番組関連情報提供装置３でＣＧＩを用いる場合、このＵＲＬ、例えば”http:// www.◎◎.com/MyMail/RecordSet/1234_5_2000090121000020000901220000.html”に代えて以下に示すＵＲＬ”http://www.◎◎.com/MyMail/Record.cgi?userID=1234&InfraID=1&StationID=3&start=20000901210000&end=20000901220000”が電子メールに添付される。
【０１６３】
このＵＲＬは、Ｗｅｂサーバ上のＣＧＩの所在値を示すアドレスであり、ＵＲＬに記載された”?”以降はＧＣＩスクリプトを起動させるための引数である。
【０１６４】
引数は、例えば、番組記録予約システム１を利用しているユーザを特定する識別子を示す”userID”が例えば”userID=1234”として、番組を放送する地上放送、CＳ放送、ＢＳ放送などの放送手段を地上放送なら１、ＣＳ放送なら２、ＢＳ放送なら３というように番号を付して識別する”InfraID”が例えば”InfraID=1”として、番組を放送する放送局に割り当てられた周波数に対応したチャンネル番号を示す”StationID”が例えば”StationID=3”として、番組がスタートする日付と時刻を示す”start”が例えば２０００年９月１日２１時なら”start=20000901210000”として、番組が終了する日付と時刻を示す”end”が例えば２０００年９月１日２２時ならend=20000901220000”として示される。また、上述の引数は全て”&”で接続され記される。
【０１６５】
続いて、このＵＲＬへアクセスし、番組記録予約設定スクリプトを生成し番組の記録予約設定をする際の動作について説明をする。
【０１６６】
まず、携帯端末装置８ｂを介しユーザによって上述のＵＲＬがチェックされると、番組記録予約設定スクリプトを生成させるための命令であるスクリプト生成命令と、番組が放送される放送局、番組が放送される手段、番組の放送開始時間、番組の放送終了といった番組情報とが番組関連情報提供装置３へ送信されデータベース３ｂにユーザのアカウント毎に蓄積される。
【０１６７】
端末装置４は、例えば、時間を管理するタイマーと電源制御機能によって定期的に作動し、番組関連情報提供装置３とインターネットセッションを確立する。
【０１６８】
番組関連情報提供装置３と端末装置４とでインターネットセッションが確立されると、端末装置４の図示しない記憶部に格納されている番組記録予約設定スクリプトピックアップソフトウェアは、ユーザのLoginＩＤとPasswordといった認証情報を用い番組関連情報提供装置３へアクセスし、番組関連情報提供装置３の図示しない記憶部に格納された番組記録予約設定スクリプト生成用ＣＧＩスクリプトを使用するためのユーザの認証を行う。ユーザの認証が終了した後、番組記録予約設定スクリプト生成用ＣＧＩスクリプトは、データベース３ｂにユーザのアカウント毎に蓄積されているスクリプト生成命令と、番組情報とから番組記録予約設定スクリプトを生成し、端末装置４へと送信する。端末装置４は、送信された番組記録予約設定スクリプトを受信し、自らが備える記憶部又は記録装置５へと送信し番組記録予約設定を行う。
【０１６９】
また、番組記録予約設定スクリプトによって番組の記録予約設定がなされた後、番組関連情報提供装置３は、番組記録予約設定が成功した否かを携帯端末装置８ｂに知らせる。
【０１７０】
まず、端末装置４は、番組記録予約設定スクリプトによって番組の記録予約設定がなされた後、認証情報を用い番組関連情報提供装置３へアクセスし、番組関連情報提供装置３の図示しない記憶部に格納されている番組記録予約設定が成されたか否かを携帯端末装置８ｂへ伝えるための番組記録予約設定結果報告用ＣＧＩスクリプトを使用するためのユーザの認証を行う。ユーザの認証が終了した後、番組記録予約設定結果報告用ＣＧＩスクリプトは、番組情報を引数に用いて、番組記録予約設定が成功したか否かを伝える電子メールを生成し携帯端末装置８ｂに送信する。
【０１７１】
さらに、端末装置４は、端末装置４の記録部又は記録装置５に記録予約設定されている番組の番組情報を番組関連情報提供装置３に送信し、番組関連情報提供装置３に記録予約設定された番組の履歴を生成させる。
【０１７２】
まず、端末装置４は、認証情報を用い番組関連情報提供装置３へアクセスし、番組関連情報提供装置３の図示しない記憶部に格納されている、記録予約設定された番組の履歴を生成する番組記録予約履歴生成用ＣＧＩスクリプトを使用するためのユーザの認証を行う。ユーザの認証が終了した後、番組記録予約履歴生成用ＣＧＩスクリプトは、番組の記録予約設定がされた番組の番組情報を引数に用いて、記録予約設定がなされた番組の番組記録予約履歴を生成する。生成された番組記録予約履歴は端末装置４へと送信されて端末装置４の図示しない記憶部に蓄積される。
【０１７３】
さらにまた、端末装置４は、端末装置４の記録部又は記録装置５によって記録媒体に記録された番組の番組情報を番組関連情報提供装置３に送信し、番組関連情報提供装置３に記録媒体への記録が完了した番組の履歴を生成させる。
【０１７４】
まず、端末装置４は、認証情報を用い番組関連情報提供装置３へアクセスし、番組関連情報提供装置３の図示しない記憶部に格納されている記録媒体への記録が完了した番組記録予約設定されている番組の履歴を生成する番組記録完了履歴生成用ＣＧＩスクリプトを使用するためのユーザの認証を行う。ユーザの認証が終了した後、番組記録完了履歴生成用ＣＧＩスクリプトは、記録媒体への記録が完了した番組の番組情報を引数に用いて、番組の番組記録完了履歴を生成する。生成された番組記録予約履歴は端末装置４へと送信されて端末装置４の図示しない記憶部に蓄積される。
【０１７５】
上述のように番組関連情報提供装置３でＣＧＩを用いてｈｔｔｐ又はｈｔｔｐｓベースで通信を行うことで、デフォルト設定された端末装置４の記録部又は記録装置５の変更も同様にして行うことができる。
【０１７６】
さらに上述の番組記録予約設定スクリプトを生成する工程は、キャンセル用スクリプトを生成する際も同様であり、携帯端末装置８ｂに送信される電子メールに添附されたキャンセルＵＲＬをチェックして、番組関連情報提供装置３の図示しない記憶部に格納されたキャンセル用ＣＧＩスクリプトにアクセスすることで、端末装置４の記録部又は記録装置５に設定された番組の記録予約設定を無効にするキャンセル用スクリプトを生成することができる。
【０１７７】
また、携帯端末装置８ａを用いたダイレクトアクセスモード、携帯端末装置８ｃを用いた第２のメールアクセスモードにおいてもＣＧＩを用いて番組記録予約設定スクリプトによる番組記録予約設定、キャンセル用スクリプトによる番組記録予約設定のキャンセル、デフォルト設定された記録部又は記録装置５の変更作業など上述した全ての動作を行うことができる。
【０１７８】
このように、インターネットセッションの確立した番組関連情報提供装置３、端末装置４との間での通信をｈｔｔｐ又はｈｔｔｐにセキュリティー機能を追加したプロトコルであるｈｔｔｐｓにて行い、番組関連情報提供装置３の図示しない記憶部に格納された各種ＣＧＩスクリプトを用いることで、番組記録予約システム１での番組記録予約設定の際の操作性を向上させ、情報のやり取りに伴う情報漏洩に対する安全性を高めることが可能となる。
【０１７９】
また、インターネットセッションの確立した携帯端末装置８ａ，８ｂ，８ｃ、番組関連情報提供装置３、端末装置４の間での個人情報のやり取りを伴う通信を行う場合は通信プロトコルとしてｈｔｔｐｓを用いることで、安全性が高まり個人情報の漏洩を防止することができる。
【０１８０】
続いて、番組関連情報提供システム１における課金処理について説明をする。
【０１８１】
図１及び図６に示す番組関連情報提供システム１の番組関連情報提供装置３は、図示しない課金処理装置を備えている。課金処理装置は、端末装置４の記憶部又は記録装置５への番組記録予約設定又は番組の記録予約設定を無効にしたことに応じて、番組の記録予約設定又は番組の記録予約設定のキャンセルに対する課金処理をユーザに行う。なお、課金処理は、番組の記録予約設定がなされた場合は課金がなされ、番組の記録予約設定がキャンセルされた場合は課金が取り消されることを示す。
【０１８２】
例えば、番組関連情報提供装置３で生成された番組記録予約設定スクリプトが端末装置４に送信され、端末装置４の記録部又は記録装置５への番組記録予約設定スクリプトによる番組記録予約設定又は番組記録予約設定キャンセル用スクリプトによる番組記録予約設定を無効にする操作が成功すると、端末装置４の図示しない記憶部に格納されている番組記録予約設定スクリプトピックアップソフトウェアは、番組情報と、ユーザの認証情報とを引数に用いて、番組関連情報提供装置３の図示しない記憶部に格納されている上述の番組記録予約設定結果報告用ＣＧＩスクリプトにアクセスする。番組記録予約設定結果報告用ＣＧＩスクリプトは、アクセスに応じて、番組の記録予約設定又は番組の記録予約設定を無効にしたことを伝える電子メールを生成し携帯端末装置８ａ，８ｂ，８ｃに送信する。番組関連情報提供装置３の制御部は、携帯端末装置８ａ，８ｂ，８ｃに電子メールを送信すると同時に、課金可能であると判断し、番組の記録予約設定又は番組の記録予約設定を無効にしたユーザに対して課金処理を行う。
【０１８３】
さらに、課金処理装置が端末装置４に課金する料金は、番組関連情報提供装置３と端末装置４とでインターネットセッションを確立する際に、番組関連情報提供装置３と端末装置４のどちらが電話回線にアクセスするかによって、端末装置４に課金される料金が異なってくる。図８のステップＳ１１２で説明したように番組関連情報提供装置３が端末装置４へアクセスする場合は、番組記録予約システムの１の利用料金とアクセスした際の電話料金とが合算された料金、が課金処理装置から端末装置４に課金される。また、図８のステップＳ１１３で説明したように端末装置４が番組関連情報提供装置３へアクセスする場合は、電話料金は端末装置４へ直接、電話会社から請求がくるため、番組関連情報提供システム１の利用料金のみが課金処理装置から端末装置４へ課金される。
【０１８４】
このように、番組関連情報提供システム１では、携帯端末装置８からの端末装置４の記録部及び記録装置５に対するユーザが所望する番組の記録予約設定を行うと供に、課金処理装置を設けることで番組関連情報提供システム１を利用するユーザに対して課金処理を行うことができる。
【０１８５】
さらに番組関連情報提供システム１の番組関連情報提供装置３は、記録予約モード及びオンエア・モードにおいてそれぞれ番組記録予約設定スクリプト、番組関連情報スクリプトを生成する際に、ＵＲＬリスト記載領域２０ｂに記載するＵＲＬを、番組関連情報提供サーバ６からの要求に応じて記載することができる。
【０１８６】
例えば、番組関連情報提供サーバ６を物品の販売事業を行っている事業者が運営し、端末装置４を介してユーザに所定の物品を提供したいと考えた場合、番組関連情報提供装置３に料金を支払い、ＵＲＬリスト記載領域２０ｂに当該物品の情報の所在地を示したＵＲＬを記載してもらうことで、当該物品の宣伝をすることができる。当該物品は番組との関連性が強いので、番組を視聴しているユーザが提供される物品に興味を示す可能性は非常に高くなる。
【０１８７】
また番組関連情報提供装置３はユーザ情報を管理しているため、番組関連情報サーバ６が販売したいと考える特定の購買層対して戦略的に宣伝を打つことができる。  番組関連情報提供装置３は、番組関連情報提供サーバ６からＵＲＬ記載による宣伝料を徴収し番組関連情報提供システム１の運営資金などに充てることで、端末装置４のシステム利用料を減額又は無料とすることができるので、番組関連情報提供システム１への端末装置４の加入者が増加し、加入者増加による番組関連情報提供サーバ６による宣伝効果が高くなり相乗効果が得られる。
【０１８８】
一方、ユーザはネットワーク網７を介し番組関連情報提供装置３により示されるＵＲＬに所望の物品があった場合、ＵＲＬにアクセスすることで直接、番組関連情報提供サーバ６と販売手続などを容易に行うことができる。
【０１８９】
なお、放送局２から送信された番組が人気番組であり、それをリアルタイムで視聴している際、番組関連情報を提供するＵＲＬへのアクセス件数が大幅に増加し、ネットワーク網７が混雑する場合がある。このようにネットワーク網７の混雑が推定可能な際には、番組関連情報表示ブラウザに表示させる番組関連情報の所在地を示すＵＲＬのそれぞれに、ユーザ毎に異なるアクセス時間を指定したコメントを添附し、指定された時間に当該ＵＲＬにアクセスをするよう促すことでネットワーク網７の推定可能な混雑を解消させることができる。
【０１９０】
なお、本実施の形態で示した携帯端末装置８ａ，８ｂ，８ｃは、それぞれ異なる機能を有した形で記載されているが、それぞれの機能を互いに有していてもよい。
【０１９１】
さらに、本実施の形態では番組の記録予約設定スクリプトを生成させるための命令を入力するのは携帯電話、ＰＤＡ、携帯型ＰＣなどである携帯端末装置８ａ，８ｂ，８ｃを使用して説明をしているが、このような携帯端末装置８ａ，８ｂ，８ｃに換えて、同等の機能を有するＰＣを用いて番組関連情報提供システム１を構成してもよい。
【０１９２】
【発明の効果】
以上の説明からも明らかなように、本発明の番組関連情報提供装置及び番組関連情報提供方法は、番組関連情報提供装置の検索手段によって、端末装置からの番組記録予約設定要求に応じて蓄積手段に蓄積された番組情報を検索し、第１の番組記録予約設定スクリプト生成手段によって、検索された番組情報に基づいて番組表中の番組を記録媒体に記録させる制御命令である第１の番組記録予約設定スクリプトを生成し、番組関連情報アドレス表示スクリプト生成手段によって検索手段によって検索された番組情報のうち、番組と関連した番組関連情報のネットワーク網上の所在地を示すアドレス情報と、アドレス情報の表示時間を規定する表示時間情報とを備える端末装置に対する制御命令である番組関連情報アドレス表示スクリプトを生成し、第２の番組記録予約設定スクリプト生成手段によって、番組関連情報アドレス表示スクリプトを第１の番組記録予約設定スクリプトに添附して第２の番組記録予約設定スクリプトを生成し、送信手段によって番組関連情報アドレス表示スクリプトを添附された第２の番組記録予約設定スクリプトを端末装置に送信することで記録媒体に記録した番組の関連情報である番組関連情報を情報量を減らすことなく、且つ、簡便な装置構成及び方法でユーザの番組視聴時に提供することを可能とする。
【０１９３】
以上の説明からも明らかなように、本発明の番組関連情報提供システム及び番組関連情報提供システム及び番組関連情報提供方法は、番組関連情報提供装置の検索手段によって、端末装置からの番組記録予約設定要求に応じて蓄積手段に蓄積された番組情報を検索し、第１の番組記録予約設定スクリプト生成手段によって、検索された番組情報に基づいて番組表中の番組を記録媒体に記録させる制御命令である第１の番組記録予約設定スクリプトを生成し、番組関連情報アドレス表示スクリプト生成手段によって検索手段によって検索された番組情報のうち、番組と関連した番組関連情報のネットワーク網上の所在地を示すアドレス情報と、アドレス情報の表示時間を規定する表示時間情報とを備える端末装置に対する制御命令である番組関連情報アドレス表示スクリプトを生成し、第２の番組記録予約設定スクリプト生成手段によって、番組関連情報アドレス表示スクリプトを第１の番組記録予約設定スクリプトに添附して第２の番組記録予約設定スクリプトを生成し、送信手段によって番組関連情報アドレス表示スクリプトを添附された第２の番組記録予約設定スクリプトを端末装置に送信し、端末装置の第１の受信手段で、２の番組記録予約設定スクリプトを受信し、検出手段で、第２の番組記録予約設定スクリプトから第１の番組記録予約設定スクリプトを検出し、第２の受信手段で、番組記録予約設定スクリプトの指定する番組を所定の時間に受信し、信号変換手段で第１の番組記録予約設定スクリプトを番組記録予約設定制御信号に変換し、制御手段で番組記録予約設定制御信号に応じて記録手段を駆動制御して番組と当該番組の番組関連情報アドレス表示スクリプトとを記録媒体に記録させ、さらにユーザの再生要求に応じて、再生手段を制御して記録媒体に記録した番組を再生すると同時に、記録媒体に記録した番組関連情報アドレス表示スクリプトが備えるアドレス情報と、表示時間情報とを読み出し、読み出したアドレス情報を表示時間情報に基づいて表示手段に表示又は非表示させるよう制御することで、記録媒体に記録した番組に関連した情報である番組関連情報を情報量を減らすことなく、且つ、簡便なシステム構成及び方法でユーザの番組視聴時に提供することを可能とする。
【０１９４】
以上の説明からも明らかなように、本発明の番組関連情報提供装置及び番組関連情報提供方法は、番組関連情報提供装置の受信許可手段によって端末装置から送信される番組表中の番組に対する番組記視聴要求に応じて当該番組の端末装置への受信を許可し、検索手段によって端末装置への受信を許可すると同時に蓄積手段に蓄積された番組情報を検索し、番組関連情報アドレス表示スクリプト生成手段によって当該番組と関連した番組関連情報のネットワーク網上の所在地を示すと同時に当該番組関連情報にアクセス可能なアドレス情報と、アドレス情報の表示時間を規定する表示時間情報とを備える端末装置にアドレス情報を表示させる制御命令である番組関連情報アドレス表示スクリプトを生成し、スクリプト送信手段によって、番組関連情報アドレス表示スクリプトを端末装置に送信することで、リアルタイムで放送される番組に関する情報である番組関連情報を情報量を減らすことなく、且つ、簡便な装置構成及び方法でユーザの番組視聴時に提供することを可能とする。
【０１９５】
以上の説明からも明らかなように、本発明の番組関連情報提供システム及び番組関連情報提供方法は、番組関連情報提供装置の受信許可手段によって端末装置から送信される番組表中の番組に対する番組記視聴要求に応じて当該番組の端末装置への受信を許可し、検索手段によって端末装置への受信を許可すると同時に蓄積手段に蓄積された番組情報を検索し、番組関連情報アドレス表示スクリプト生成手段によって当該番組と関連した番組関連情報のネットワーク網上の所在地を示すと同時に当該番組関連情報にアクセス可能なアドレス情報と、アドレス情報の表示時間を規定する表示時間情報とを備える端末装置にアドレス情報を表示させる制御命令である番組関連情報アドレス表示スクリプトを生成し、スクリプト送信手段によって、番組関連情報アドレス表示スクリプトを端末装置に送信し、端末装置第１の受信手段で上記受信許可手段で受信許可された番組を受信し、第２の受信手段で送信された番組関連情報アドレス表示スクリプトを受信し、検出手段によって受信した番組関連情報アドレス表示スクリプトからアドレス情報と、表示時間情報とを検出し、制御手段によって表示時間情報に基づいて上記アドレス情報を表示手段に表示又は非表示させるよう制御することで、リアルタイムで放送される番組に関する情報である番組関連情報を情報量を減らすことなく、且つ、簡便なシステム構成及び方法でユーザの番組視聴時に提供することを可能とする。
【図面の簡単な説明】
【図１】本発明の実施の形態として示す番組関連情報提供システムの概略構成を示す図である。
【図２】同番組関連情報提供システムの番組関連情報提供装置から送信される番組記録予約設定スクリプトの一例を示す図である。
【図３】同番組関連情報提供システムにおいて、番組記録予約設定をして番組を記録し、記録した番組を再生する際の動作について説明するためのフローチャートである。
【図４】同番組関連情報提供システムにおいて、番組関連情報ＵＲＬを表示させる動作を説明するためのフローチャートである。
【図５】同番組関連情報提供システムにおいて、番組関連情報ＵＲＬを表示させる動作を説明するためのフローチャートである。
【図６】同番組関連情報提供システムにおいて、携帯端末装置をシステムの構成に加えた場合について説明するための概略構成図である。
【図７】同番組関連情報提供システムにおいて、番組記録予約設定スクリプトを生成する際の動作について説明するための第１のフローチャートである。
【図８】同番組関連情報提供システムにおいて、番組記録予約設定スクリプトを生成する際の動作について説明するための第２のフローチャートである。
【図９】同番組関連情報提供システムにおいて、Ｗｅｂブラウザを介して携帯端末装置へ提供される番組表を示す図である。
【図１０】同番組関連情報提供システムにおいて、Ｗｅｂブラウザを介して携帯端末装置へ提示される記録予約設定の確認画面の一例を示した図である。
【図１１】同番組関連情報提供システムにおいて、Ｗｅｂブラウザを介して携帯端末装置へ提示される番組を記録する記録装置を選択する画面の一例を示した図である。
【図１２】同番組関連情報提供システムにおいて、Ｗｅｂブラウザを介して携帯端末装置へ提示される番組表において、記録予約設定をされた記録装置のアイコンが番組表中に表示される様子の一例を示した図である。
【図１３】同番組関連情報提供システムにおいて、Ｗｅｂブラウザを介して携帯端末装置へ提示される番組記録予約設定された番組から記録予約設定をキャンセルする番組を選択する画面の一例を示した図である。
【図１４】同番組関連情報提供システムにおいて、番組記録予約設定スクリプトを生成する際の動作について説明するための第３のフローチャートである。
【図１５】同番組関連情報提供システムにおいて、番組関連情報提供装置から携帯端末装置に送信される番組記録予約設定用のＵＲＬが添付された電子メールの一例を示した図である。
【図１６】同番組関連情報提供システムにおいて、番組関連情報提供装置から携帯端末装置に送信される番組記録予約設定をキャンセルするモードへ移るためののＵＲＬが添付された電子メールの一例を示した図である。
【図１７】同番組関連情報提供システムにおいて、番組記録予約設定スクリプトを生成する際の動作について説明するための第４のフローチャートである。
【図１８】同番組関連情報提供システムにおいて、番組関連情報提供装置から携帯端末装置に送信される番組を記録する記録装置を変更するモードへ移るためのＵＲＬが添付された電子メールの一例を示した図である。
【図１９】同番組関連情報提供システムにおいて、番組関連情報提供装置から携帯端末装置に送信される記録装置を変更する番組を選択するためのＵＲＬが添付された電子メールの一例を示した図である。
【図２０】同番組関連情報提供システムにおいて、番組関連情報提供装置から携帯端末装置に送信される番組を記録する記録装置の変更をするためのＵＲＬが添付された電子メールの一例を示した図である。
【図２１】同番組関連情報提供システムにおいて、番組関連情報提供装置から携帯端末装置に送信される番組記録予約設定をキャンセルするモードへ移るためののＵＲＬが添付された電子メールの一例を示した図である。
【図２２】同番組関連情報提供システムにおいて、番組関連情報提供装置から携帯端末装置に送信される番組の記録予約設定をキャンセルする番組を選択するためのＵＲＬが添付された電子メールの一例を示した図である。
【図２３】同番組関連情報提供システムにおいて、番組関連情報提供装置から携帯端末装置に送信され、記録予約設定のキャンセルが実効されたことを伝える電子メールの一例を示した図である。
【符号の説明】
１  番組関連情報提供システム、２  放送局、３  番組関連情報提供装置、３ａ  データベース、３ｂ  データベース、４  端末装置、４ａ  表示部、５  記録装置、６  番組関連情報提供サーバ、７  ネットワーク網
【図１】
0004218196.tif 000002
【図２】
0004218196.tif 000003
【図３】
0004218196.tif 000004
【図４】
0004218196.tif 000005
【図５】
0004218196.tif 000006
【図６】
0004218196.tif 000007
【図７】
0004218196.tif 000008
【図８】
0004218196.tif 000009
【図９】
0004218196.tif 000010
【図１０】
0004218196.tif 000011
【図１１】
0004218196.tif 000012
【図１２】
0004218196.tif 000013
【図１３】
0004218196.tif 000014
【図１４】
0004218196.tif 000015
【図１５】
0004218196.tif 000016
【図１６】
0004218196.tif 000017
【図１７】
0004218196.tif 000018
【図１８】
0004218196.tif 000019
【図１９】
0004218196.tif 000020
【図２０】
0004218196.tif 000021
【図２１】
0004218196.tif 000022
【図２２】
0004218196.tif 000023
【図２３】
0004218196.tif 000024